(57)【特許請求の範囲】
【請求項１】
基地局におけるワイヤレス通信のための方法であって、
第１のダウンリンク送信について受信されたフィードバックを分類することと、ここで、前記第１のダウンリンク送信は、共有無線周波数スペクトル帯域上で実行され、前記フィードバックが複数のフィードバックカテゴリーのうちの１つに分類され、前記分類することが、前記第１のダウンリンク送信についての干渉パラメータに少なくとも部分的に基づく、
後続のダウンリンク送信についての干渉パラメータを識別することと、
前記後続のダウンリンク送信についての前記識別された干渉パラメータに関連するフィードバックカテゴリーに分類されたフィードバックに少なくとも部分的に基づいて、前記後続のダウンリンク送信をスケジュールすることと
を備え、
前記後続のダウンリンク送信についての前記干渉パラメータを識別することが、
少なくとも１つの他の基地局から送信ステータスを受信することと、
前記送信ステータスに少なくとも部分的に基づいて、前記後続のダウンリンク送信についての前記干渉パラメータを識別することと
を備えることによって特徴付けられ、
ここで、前記送信ステータスを受信することが、
チャネル使用ビーコン信号（ＣＵＢＳ）、または物理フレームフォーマットインジケータチャネル（ＰＦＦＩＣＨ）、あるいはそれらの組合せを受信すること
を備える、方法。
【請求項２】
前記第１のダウンリンク送信についての前記干渉パラメータが、再利用１モードでの送信、または時間領域多重化（ＴＤＭ）モードでの送信のうちの１つを備える、請求項１に記載の方法。
【請求項３】
前記第１のダウンリンク送信について受信されたフィードバックを分類することが、  前記再利用１モードでの前記第１のダウンリンク送信の送信を備える前記第１のダウンリンク送信についての前記干渉パラメータに少なくとも部分的に基づいて、前記第１のダウンリンク送信について受信されたフィードバックを第１のフィードバックカテゴリーに分類すること
を備える、請求項２に記載の方法。
【請求項４】
前記ＴＤＭモードでの第２のダウンリンク送信の送信を備える前記第２のダウンリンク送信についての干渉パラメータに少なくとも部分的に基づいて、前記第２のダウンリンク送信についてのフィードバックを第２のフィードバックカテゴリーに分類すること
をさらに備える、請求項３に記載の方法。
【請求項５】
前記フィードバックが、チャネル状態情報（ＣＳＩ）、または肯定応答／否定応答（ＡＣＫ／ＮＡＣＫ）フィードバック、あるいはそれらの組合せを備える、請求項１に記載の方法。
【請求項６】
前記後続のダウンリンク送信をスケジュールすることが、
前記後続のダウンリンク送信のための変調およびコーディング方式（ＭＣＳ）を選択すること
を備える、請求項１に記載の方法。
【請求項７】
前記第１のダウンリンク送信についての前記干渉パラメータを識別すること
をさらに備える、請求項１に記載の方法。
【請求項８】
前記第１のダウンリンク送信についての前記干渉パラメータを識別することが、
前記第１のダウンリンク送信についての前記フィードバックとともに前記干渉パラメータの指示を受信すること
を備える、請求項７に記載の方法。
【請求項９】
前記基地局および前記少なくとも１つの他の基地局が、同じパブリックランドモバイルネットワーク（ＰＬＭＮ）に属する、請求項１に記載の方法。
【請求項１０】
前記複数のフィードバックカテゴリーのうちの各フィードバックカテゴリーについて、別個のハイブリッド自動再送要求（ＨＡＲＱ）フィードバックアウターループまたは別個のチャネル状態情報（ＣＳＩ）フィードバックアウターループのうちの少なくとも１つを維持すること
をさらに備え、
ここにおいて、前記後続のダウンリンク送信が、前記後続のダウンリンク送信についての前記干渉パラメータに関連する前記フィードバックカテゴリーに関連する、ＨＡＲＱフィードバックアウターループとＣＳＩフィードバックアウターループの一方または両方に少なくとも部分的に基づいてスケジュールされる、または
前記第１のダウンリンク送信について受信された前記フィードバックを第１のフィードバックカテゴリーに分類すると、第２のフィードバックカテゴリーに関連するハイブリッド自動再送要求（ＨＡＲＱ）フィードバックアウターループ、または前記第２のカテゴリーに関連するチャネル状態情報（ＣＳＩ）フィードバックアウターループのうちの少なくとも１つの少なくとも１つの更新をスキップすること
をさらに備える、請求項１に記載の方法。
【請求項１１】
基地局におけるワイヤレス通信のための装置であって、請求項１ないし１０のうちのいずれか一項に記載の方法を実行するように構成された手段
を備える、装置。
【請求項１２】
ユーザ機器（ＵＥ）におけるワイヤレス通信のための方法であって、
共有無線周波数スペクトル帯域上で受信された第１のダウンリンク送信についての干渉パラメータを識別することと、
前記第１のダウンリンク送信についてのフィードバックを生成することと、
基地局に、前記干渉パラメータの指示と一緒に前記フィードバックを送ることと
を備え、
前記干渉パラメータを識別することが、
少なくとも１つのネイバリング基地局から送信ステータスを受信することと、
前記送信ステータスに少なくとも部分的に基づいて、前記第１のダウンリンク送信についての前記干渉パラメータを識別することと
を備えることによって特徴付けられる、
方法。
【請求項１３】
前記フィードバックとともに前記基地局に、前記少なくとも１つのネイバリング基地局からの前記送信ステータスを送ること
をさらに備える、請求項１２に記載の方法。
【請求項１４】
前記干渉パラメータを識別することが、
前記第１のダウンリンク送信に関連する信号対雑音比（ＳＮＲ）を測定することと、  前記測定されたＳＮＲに少なくとも部分的に基づいて、前記第１のダウンリンク送信についての前記干渉パラメータを推定することと
を備える、請求項１２に記載の方法。
【請求項１５】
ユーザ機器（ＵＥ）におけるワイヤレス通信のための装置であって、
請求項１２ないし１４のいずれか一項に記載の方法を実行するように構成された手段を備える、装置。
【発明の詳細な説明】
【技術分野】
【０００１】
相互参照
[0001]本特許出願は、各々が本出願の譲受人に譲渡された、２０１６年５月２５日に出願された、「Techniques for Handling Feedback for Downlink Transmissions in a Shared Radio Frequency Spectrum Band」と題する、Ｚｈａｎｇらによる米国特許出願第１５／１６４，８３７号、および２０１５年５月２７日に出願された、「Techniques for Handling Feedback for Downlink Transmissions in a Shared Radio Frequency Spectrum Band」と題する、Ｚｈａｎｇらによる米国仮特許出願第６２／１６７，０７７号の優先権を主張する。
【０００２】
[0002]本開示は、たとえば、ワイヤレス通信システムに関し、より詳細には、共有無線周波数スペクトル帯域（shared radio frequency spectrum band）中のダウンリンク送信についてのフィードバックを扱うための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]いくつかの通信モードは、セルラーネットワークの共有無線周波数スペクトル帯域上での、または異なる無線周波数スペクトル帯域（たとえば、専用無線周波数スペクトル帯域（dedicated radio frequency spectrum band）および共有無線周波数スペクトル帯域）上での基地局とＵＥとの間の通信を可能にし得る。専用（たとえば、認可（licensed））無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者に拡張データ送信容量のための機会を与え得る。共有無線周波数スペクトル帯域はまた、専用無線周波数スペクトル帯域へのアクセスが利用不可能であるエリア中でサービスを与え得る。
【０００６】
[0006]共有無線周波数スペクトル帯域へのアクセスを獲得し、共有無線周波数スペクトル帯域上で通信するより前に、基地局またはＵＥは、共有無線周波数スペクトル帯域へのアクセスを求めて競合するために、リッスンビフォアトーク（ＬＢＴ：listen before talk）プロシージャを実行し得る。ＬＢＴプロシージャは、共有無線周波数スペクトル帯域のチャネルが利用可能であるかどうかを決定するために、クリアチャネルアセスメント（ＣＣＡ：clear channel assessment）プロシージャを実行することを含み得る。共有無線周波数スペクトル帯域のチャネルが利用可能であると決定されたとき、チャネル予約信号（たとえば、チャネル使用ビーコン信号（ＣＵＢＳ：channel usage beacon signal））が、チャネルを予約するために送信され得る。チャネルが利用可能でないと決定された場合、そのチャネルのためのＣＣＡプロシージャが後で再び実行され得る。
【発明の概要】
【０００７】
[0007]同じパブリックランドモバイルネットワーク（ＰＬＭＮ：public land mobile network）の異なる基地局が並列に専用無線周波数スペクトル帯域上で送信するとき、第１のセル中の第１の基地局によって使用される送信周波数は、他のセル中の他の基地局によって再利用され得る。同じ周波数がネットワーク中で使用され得るレートは、周波数再利用レートとして知られている。ロングタームエボリューション（ＬＴＥ（登録商標））またはＬＴＥアドバンスト（ＬＴＥ−Ａ）（ＬＴＥ／ＬＴＥ−Ａ）ネットワークは１の周波数再利用レートを有し、「再利用１（reuse one）」モードで動作する。同じＰＬＭＮの異なる基地局が並列に共有無線周波数スペクトル帯域上で送信または受信するとき、基地局は、それらのＬＢＴ無線フレームタイミングが同期され、かつ基地局のすべてが共有無線周波数スペクトル帯域へのアクセスを求める競合に勝つときには、再利用１モードで動作し得る。基地局のＬＢＴ無線フレームタイミングが同期されないとき、またはネイバリング基地局のすべてが共有無線周波数スペクトル帯域へのアクセスを求める競合に勝つわけではないときには、基地局は、再利用１モードではなく時間領域多重化（ＴＤＭ：time-domain multiplexed）モードで動作し得る。再利用１モードでの送信についての干渉環境が、ＴＤＭモードでの送信についての干渉環境とは異なるので、両方の干渉環境における送信について受信されたフィードバックの組合せに基づくダウンリンク送信のスケジューリングは、ダウンリンク送信スケジューリングの性能に悪影響を及ぼし得る。本開示で説明する技法は、ダウンリンク送信について受信されたフィードバックを分類し、ダウンリンク送信についての干渉パラメータに関連するフィードバックカテゴリーに分類されたフィードバックに少なくとも部分的に基づいて、後続のダウンリンク送信をスケジュールする。
【０００８】
[0008]一例では、基地局におけるワイヤレス通信のための方法について説明する。本方法は、共有無線周波数スペクトル帯域上で第１のダウンリンク送信について受信されたフィードバックを分類することと、後続のダウンリンク送信についての干渉パラメータを識別することと、後続のダウンリンク送信についての識別された干渉パラメータに関連するフィードバックカテゴリーに分類されたフィードバックに少なくとも部分的に基づいて、後続のダウンリンク送信をスケジュールすることとを含み得る。フィードバックは複数のフィードバックカテゴリーのうちの１つに分類され得、分類することは、第１のダウンリンク送信についての干渉パラメータに少なくとも部分的に基づき得る。
【０００９】
[0009]本方法のいくつかの例では、第１のダウンリンク送信についての干渉パラメータは、再利用１モードでの送信、またはＴＤＭモードでの送信のうちの１つを含み得る。いくつかの例では、第１のダウンリンク送信について受信されたフィードバックを分類することは、再利用１モードでの第１のダウンリンク送信の送信を含む第１のダウンリンク送信についての干渉パラメータに少なくとも部分的に基づいて、第１のダウンリンク送信について受信されたフィードバックを第１のフィードバックカテゴリーに分類することを含み得る。いくつかの例では、本方法は、ＴＤＭモードでの第２のダウンリンク送信の送信を含む第２のダウンリンク送信についての干渉パラメータに少なくとも部分的に基づいて、第２のダウンリンク送信についてのフィードバックを第２のフィードバックカテゴリーに分類することを含み得る。
【００１０】
[0010]本方法のいくつかの例では、フィードバックは、チャネル状態情報（ＣＳＩ）、または肯定応答／否定応答（ＡＣＫ／ＮＡＣＫ）フィードバック、あるいはそれらの組合せを含み得る。いくつかの例では、後続のダウンリンク送信をスケジュールすることは、後続のダウンリンク送信のための変調およびコーディング方式（ＭＣＳ：modulation and coding scheme）を選択することを含み得る。いくつかの例では、本方法は、第１のダウンリンク送信についての干渉パラメータを識別することを含み得る。いくつかの例では、第１のダウンリンク送信についての干渉パラメータを識別することは、第１のダウンリンク送信についてのフィードバックとともに干渉パラメータの指示を受信することを含み得る。
【００１１】
[0011]いくつかの例では、後続のダウンリンク送信についての干渉パラメータを識別することは、少なくとも１つの他の基地局から送信ステータスを受信することと、送信ステータスに少なくとも部分的に基づいて、後続のダウンリンク送信についての干渉パラメータを識別することとを含み得る。いくつかの例では、基地局および少なくとも１つの他の基地局は、同じＰＬＭＮに属し得る。いくつかの例では、送信ステータスを受信することは、チャネル使用ビーコン信号（ＣＵＢＳ）、または物理フレームフォーマットインジケータチャネル（ＰＦＦＩＣＨ：physical frame format indicator channel）、あるいはそれらの組合せを受信することを含み得る。
【００１２】
[0012]いくつかの例では、本方法は、複数のフィードバックカテゴリーのうちの各フィードバックカテゴリーについて、別個のハイブリッド自動再送要求（ＨＡＲＱ）フィードバックアウターループ（a separate hybrid automatic repeat request (HARQ) feedback outer loop）または別個のＣＳＩフィードバックアウターループ（a separate CSI feedback outer loop）のうちの少なくとも１つを維持することを含み得、ここで、後続のダウンリンク送信は、後続のダウンリンク送信についての干渉パラメータに関連するフィードバックカテゴリーに関連する、ＨＡＲＱフィードバックアウターループとＣＳＩフィードバックアウターループの一方または両方に少なくとも部分的に基づいてスケジュールされる。いくつかの例では、本方法は、第１のダウンリンク送信について受信されたフィードバックを第１のフィードバックカテゴリーに分類すると、第２のフィードバックカテゴリーに関連するＨＡＲＱフィードバックアウターループ、または第２のカテゴリーに関連するＣＳＩフィードバックアウターループのうちの少なくとも１つの少なくとも１つの更新をスキップすることを含み得る。
【００１３】
[0013]一例では、基地局におけるワイヤレス通信のための装置について説明する。本装置は、共有無線周波数スペクトル帯域上で第１のダウンリンク送信について受信されたフィードバックを分類するための手段と、後続のダウンリンク送信についての干渉パラメータを識別するための手段と、後続のダウンリンク送信についての識別された干渉パラメータに関連するフィードバックカテゴリーに分類されたフィードバックに少なくとも部分的に基づいて、後続のダウンリンク送信をスケジュールするための手段とを含み得る。フィードバックは複数のフィードバックカテゴリーのうちの１つに分類され得、分類することは、第１のダウンリンク送信についての干渉パラメータに少なくとも部分的に基づき得る。本装置は、上記で説明した方法の１つまたは複数の態様を実行するための手段をさらに含み得る。
【００１４】
[0014]一例では、基地局におけるワイヤレス通信のための別の装置について説明する。本装置は、プロセッサと、プロセッサに結合されたメモリとを含み得る。プロセッサは、共有無線周波数スペクトル帯域上で第１のダウンリンク送信について受信されたフィードバックを分類することと、後続のダウンリンク送信についての干渉パラメータを識別することと、後続のダウンリンク送信についての識別された干渉パラメータに関連するフィードバックカテゴリーに分類されたフィードバックに少なくとも部分的に基づいて、後続のダウンリンク送信をスケジュールすることとを行うように構成され得る。フィードバックは複数のフィードバックカテゴリーのうちの１つに分類され得、分類することは、第１のダウンリンク送信についての干渉パラメータに少なくとも部分的に基づき得る。プロセッサは、上記で説明した方法の１つまたは複数の態様を実行するようにさらに構成され得る。
【００１５】
[0015]一例では、プロセッサによって実行可能な命令を記憶するためのコンピュータ可読媒体について説明する。命令は、共有無線周波数スペクトル帯域上で第１のダウンリンク送信について受信されたフィードバックを分類するための命令と、後続のダウンリンク送信についての干渉パラメータを識別するための命令と、後続のダウンリンク送信についての識別された干渉パラメータに関連するフィードバックカテゴリーに分類されたフィードバックに少なくとも部分的に基づいて、後続のダウンリンク送信をスケジュールするための命令とを含み得る。フィードバックは複数のフィードバックカテゴリーのうちの１つに分類され得、分類することは、第１のダウンリンク送信についての干渉パラメータに少なくとも部分的に基づき得る。本コンピュータ可読媒体は、上記で説明した方法の１つまたは複数の態様を実行するためにプロセッサによって実行可能な命令を記憶し得る。
【００１６】
[0016]一例では、ＵＥにおけるワイヤレス通信のための方法について説明する。本方法は、共有無線周波数スペクトル帯域上で受信された第１のダウンリンク送信についての干渉パラメータを識別することと、第１のダウンリンク送信についてのフィードバックを生成することと、基地局に、干渉パラメータの指示と一緒にフィードバックを送ることとを含み得る。
【００１７】
[0017]本方法のいくつかの例では、干渉パラメータを識別することは、少なくとも１つのネイバリング基地局から送信ステータスを受信することと、送信ステータスに少なくとも部分的に基づいて、第１のダウンリンク送信についての干渉パラメータを識別することとを含み得る。いくつかの例では、本方法は、フィードバックとともに基地局に、少なくとも１つのネイバリング基地局からの送信ステータスを送ることを含み得る。いくつかの例では、干渉パラメータを識別することは、第１のダウンリンク送信に関連する信号対雑音比（ＳＮＲ：signal-to-noise ratio）を測定することと、測定されたＳＮＲに少なくとも部分的に基づいて、第１のダウンリンク送信についての干渉パラメータを推定することとを含み得る。
【００１８】
[0018]一例では、ＵＥにおけるワイヤレス通信のための装置について説明する。本装置は、共有無線周波数スペクトル帯域上で受信された第１のダウンリンク送信についての干渉パラメータを識別するための手段と、第１のダウンリンク送信についてのフィードバックを生成するための手段と、基地局に、干渉パラメータの指示と一緒にフィードバックを送るための手段とを含み得る。本装置は、上記で説明した方法の１つまたは複数の態様を実行するための手段を含み得る。
【００１９】
[0019]一例では、ＵＥにおけるワイヤレス通信のための別の装置について説明する。本装置は、プロセッサと、プロセッサに結合されたメモリとを含み得る。プロセッサは、共有無線周波数スペクトル帯域上で受信された第１のダウンリンク送信についての干渉パラメータを識別することと、第１のダウンリンク送信についてのフィードバックを生成することと、基地局に、干渉パラメータの指示と一緒にフィードバックを送ることとを行うように構成され得る。プロセッサは、上記で説明した方法の１つまたは複数の態様を実行するようにさらに構成され得る。
【００２０】
[0020]一例では、プロセッサによって実行可能な命令を記憶するためのコンピュータ可読媒体について説明する。命令は、共有無線周波数スペクトル帯域上で受信された第１のダウンリンク送信についての干渉パラメータを識別するための命令と、第１のダウンリンク送信についてのフィードバックを生成するための命令と、基地局に、干渉パラメータの指示と一緒にフィードバックを送るための命令とを含み得る。本コンピュータ可読媒体は、上記で説明した方法の１つまたは複数の態様を実行するためにプロセッサによって実行可能な命令を記憶し得る。
【００２１】
[0021]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００２２】
[0022]本発明の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００２３】
【図１】[0023]本開示の様々な態様による、ワイヤレス通信システムの一例を示す図。
【図２】[0024]本開示の様々な態様による、ロングタームエボリューション（ＬＴＥ）またはＬＴＥアドバンスト（ＬＴＥ−Ａ）（ＬＴＥ／ＬＴＥ−Ａ）が、共有無線周波数スペクトル帯域を使用して異なるシナリオの下で展開され得るワイヤレス通信システムを示す図。
【図３】[0025]本開示の様々な態様による、固定リッスンビフォアトーク（ＬＢＴ）無線フレーム構造を介してユーザ機器（ＵＥ）と通信する基地局についての再同期動作のタイミング図。
【図４】[0026]本開示の様々な態様による、浮動ＬＢＴ無線フレーム構造を介してＵＥと通信する基地局についての再同期動作のタイミング図。
【図５】[0027]本開示の様々な態様による、共有無線周波数スペクトル帯域上の基地局とＵＥとの間の通信フローを示す図。
【図６】[0028]本開示の様々な態様による、ワイヤレス通信において使用するための装置のブロック図。
【図７】[0029]本開示の様々な態様による、ワイヤレス通信において使用するための装置のブロック図。
【図８】[0030]本開示の様々な態様による、ワイヤレス通信において使用するための装置のブロック図。
【図９】[0031]本開示の様々な態様による、ワイヤレス通信において使用するための装置のブロック図。
【図１０】[0032]本開示の様々な態様による、ワイヤレス通信において使用するための基地局のブロック図。
【図１１】[0033]本開示の様々な態様による、ワイヤレス通信において使用するためのＵＥのブロック図。
【図１２】[0034]本開示の様々な態様による、ワイヤレス通信のための例示的な方法を示すフローチャート。
【図１３】[0035]本開示の様々な態様による、ワイヤレス通信のための例示的な方法を示すフローチャート。
【図１４】[0036]本開示の様々な態様による、ワイヤレス通信のための例示的な方法を示すフローチャート。
【図１５】[0037]本開示の様々な態様による、ワイヤレス通信のための例示的な方法を示すフローチャート。
【発明を実施するための形態】
【００２４】
[0038]本開示は、一般に、共有無線周波数スペクトル帯域中のダウンリンク送信についてのフィードバックを扱うための技法に関する。基地局が、共有無線周波数スペクトル帯域上でダウンリンク送信について受信されたフィードバックを分類し得る。フィードバックは、複数のフィードバックカテゴリーのうちの１つに分類され得、第１のダウンリンク送信についての干渉パラメータに少なくとも部分的に基づき得る。基地局はまた、後続のダウンリンク送信についての干渉パラメータを識別し、後続のダウンリンク送信についての識別された干渉パラメータに関連するフィードバックカテゴリーに分類されたフィードバックに少なくとも部分的に基づいて、後続のダウンリンク送信をスケジュールし得る。
【００２５】
[0039]共有無線周波数スペクトル帯域がワイヤレス通信システム上での通信の少なくとも一部分のために使用される技法について説明する。いくつかの例では、共有無線周波数スペクトル帯域は、ロングタームエボリューション（ＬＴＥ）またはＬＴＥアドバンスト（ＬＴＥ−Ａ）（ＬＴＥ／ＬＴＥ−Ａ）通信のために使用され得る。共有無線周波数スペクトル帯域は、専用無線周波数スペクトル帯域と組み合わせて、またはそれとは無関係に使用され得る。専用無線周波数スペクトル帯域は、ＬＴＥ／ＬＴＥ−Ａ通信のために使用可能な認可無線周波数スペクトル帯域（licensed radio frequency spectrum band）など、無線周波数スペクトル帯域が特定のユーザに認可されているので、送信装置がそれについてアクセスを求めて競合しないことがある、無線周波数スペクトル帯域であり得る。共有無線周波数スペクトル帯域は、デバイスがそれについてアクセスを求めて競合し得る、無線周波数スペクトル帯域（たとえば、Ｗｉ−Ｆｉ（登録商標）使用など、無認可使用（unlicensed use）のために利用可能である無線周波数スペクトル帯域、あるいは等しく共有されるかまたは優先度を付けられた様式で複数の事業者が使用するために利用可能である無線周波数スペクトル帯域）であり得る。
【００２６】
[0040]専用無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者（たとえば、パブリックランドモバイルネットワーク（ＰＬＭＮ）またはＬＴＥ／ＬＴＥ−Ａネットワークなどのセルラーネットワークを画定する基地局の協調セットの事業者）に拡張データ送信容量のための機会を与え得る。共有無線周波数スペクトル帯域の使用はまた、専用無線周波数スペクトル帯域へのアクセスが利用不可能であるエリア中でサービスを与え得る。共有無線周波数スペクトル帯域上で通信する前に、送信装置は、媒体へのアクセスを獲得するためにリッスンビフォアトーク（ＬＢＴ）プロシージャを実行し得る。そのようなＬＢＴプロシージャは、共有無線周波数スペクトル帯域のチャネルが利用可能であるかどうかを決定するために、クリアチャネルアセスメント（ＣＣＡ）プロシージャ（または拡張ＣＣＡプロシージャ）を実行することを含み得る。共有無線周波数スペクトル帯域のチャネルが利用可能であると決定されたとき、チャネル使用ビーコン信号（ＣＵＢＳ）が、チャネルを予約するためにブロードキャストされ得る。基地局の場合、チャネルがそれについて予約されているダウンリンクサブフレームとアップリンクサブフレームとの指示もブロードキャストされ得る。チャネルが利用可能でないと決定された場合、そのチャネルについてのＣＣＡプロシージャ（または拡張ＣＣＡプロシージャ）が、後で再び実行され得る。
【００２７】
[0041]以下の説明は、例を与えるものであり、特許請求の範囲に記載される範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００２８】
[0042]図１に、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし得、ＵＥ１１５との通信のための無線設定およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いに直接または間接的に（たとえば、コアネットワーク１３０を通して）通信し得る。
【００２９】
[0043]基地局１０５は、１つまたは複数の基地局アンテナを介してＵＥ１１５とワイヤレス通信し得る。基地局１０５の各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、発展型ノードＢ（ｅＮＢ）、ｅノードＢ、ホームノードＢ、ホームｅノードＢ、または何らかの他の好適な用語で呼ばれることがある。基地局１０５についての地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術についての重複する地理的カバレージエリア１１０があり得る。
【００３０】
[0044]いくつかの例では、ワイヤレス通信システム１００はＬＴＥ／ＬＴＥ−Ａネットワークを含み得る。ＬＴＥ／ＬＴＥ−Ａネットワークでは、ｅＮＢという用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る「第３世代パートナーシッププロジェクト」（３ＧＰＰ（登録商標））用語である。
【００３１】
[0045]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、同じまたは異なる（たとえば、専用、共有などの）無線周波数スペクトル帯域内でマクロセルとして動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、家庭）を同じくカバーし得、フェムトセルとの関連付けを有するＵＥ（たとえば、限定加入者グループ（ＣＳＧ：closed subscriber group）中のＵＥ、家庭内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３２】
[0046]ワイヤレス通信システム１００は同期動作または非同期動作をサポートし得る。同期動作の場合、基地局は同様のフレームタイミングを有し得、異なる基地局からの送信はほぼ時間的にアライメント（aligned in time）され得る。非同期動作の場合、基地局は異なるフレームタイミングを有し得、異なる基地局からの送信は時間的にアライメントされないことがある。本明細書で説明する技法は、同期動作または非同期動作のいずれかのために使用され得る。
【００３３】
[0047]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信はＩＰベースであり得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッド自動再送要求（ＨＡＲＱ）を使用し得る。制御プレーンでは、無線リソース制御（ＲＲＣ）プロトコルレイヤが、ユーザプレーンデータについての無線ベアラをサポートする、ＵＥ１１５と基地局１０５またはコアネットワーク１３０との間のＲＲＣ接続の確立と設定と保守とを行い得る。物理（ＰＨＹ）レイヤにおいて、トランスポートチャネルは物理チャネルにマッピングされ得る。
【００３４】
[0048]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３５】
[0049]ワイヤレス通信システム１００に示されている通信リンク１２５は、基地局１０５からＵＥ１１５へのダウンリンク送信、またはＵＥ１１５から基地局１０５へのアップリンク送信を含み得る。ダウンリンク送信は順方向リンク送信と呼ばれることもあり、アップリンク送信は逆方向リンク送信と呼ばれることもある。ダウンリンク送信は、たとえば、物理ダウンリンク共有チャネル（ＰＤＳＣＨ）、物理ダウンリンク制御チャネル（ＰＤＣＣＨ、たとえば、専用無線周波数スペクトル帯域上での送信のためのもの）、拡張ＰＤＣＣＨ（ＥＰＤＣＣＨ、たとえば、共有無線周波数スペクトル帯域上での送信のためのもの）、または物理フレームフォーマットインジケータチャネル（ＰＦＦＩＣＨ）を含み得る。通信リンク１２５の時分割複信（ＴＤＤ：time division duplexing）動作の場合、ＰＦＦＩＣＨ上でシグナリングすることは、通信リンク１２５上での通信のＴＤＤフレーム構造を示し得る。アップリンク送信は、たとえば、物理アップリンク共有チャネル（ＰＵＳＣＨ）または物理アップリンク制御チャネル（ＰＵＣＣＨ）を含み得る。アップリンク送信はまた、ダウンリンク送信についてのフィードバック（たとえば、ＨＡＲＱフィードバック）を含み得る。
【００３６】
[0050]いくつかの例では、各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ：frequency domain duplexing）動作を使用して（たとえば、対スペクトルリソースを使用して）、またはＴＤＤ動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００３７】
[0051]ワイヤレス通信システム１００のいくつかの例では、基地局１０５またはＵＥ１１５は、基地局１０５とＵＥ１１５との間の通信品質と信頼性とを改善するためにアンテナダイバーシティ方式を採用する複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００３８】
[0052]ワイヤレス通信システム１００は、複数のセルまたはキャリア上での動作、すなわち、キャリアアグリゲーションまたはデュアル接続性動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣと１つまたは複数のアップリンクＣＣとで構成され得る。各通信方向では、１つのＣＣが１次セル（ＰＣｅｌｌ）として構成され得、他のＣＣが２次セル（ＳＣｅｌｌ）として構成され得る。キャリアアグリゲーションは、ＦＤＤコンポーネントキャリアとＴＤＤコンポーネントキャリアの両方とともに使用され得る。
【００３９】
[0053]いくつかの例では、ワイヤレス通信システム１００は、専用無線周波数スペクトル帯域（たとえば、ＬＴＥ／ＬＴＥ−Ａ通信のために使用可能な認可無線周波数スペクトル帯域などの無線周波数スペクトル帯域が特定の使用のために特定のユーザに認可されているので、送信装置がそれについてアクセスを求めて競合しないことがある、無線周波数スペクトル帯域）または共有無線周波数スペクトル帯域（たとえば、送信装置がそれについてアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上での動作をサポートし得る。
【００４０】
[0054]図２に、本開示の様々な態様による、ＬＴＥ／ＬＴＥ−Ａが、共有無線周波数スペクトル帯域を使用して異なるシナリオの下で展開され得るワイヤレス通信システム２００を示す。より詳細には、図２は、ＬＴＥ／ＬＴＥ−Ａが共有無線周波数スペクトル帯域を使用して展開される、（認可支援アクセスモード（licensed assisted access mode）とも呼ばれる）補助ダウンリンクモード（supplemental downlink mode）と、キャリアアグリゲーションモードと、スタンドアロンモードとの例を示している。ワイヤレス通信システム２００は、図１を参照しながら説明したワイヤレス通信システム１００の部分の一例であり得る。その上、第１の基地局２０５および第２の基地局２０５−ａは、図１を参照しながら説明した基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１を参照しながら説明したＵＥ１１５のうちの１つまたは複数の態様の例であり得る。
【００４１】
[0055]ワイヤレス通信システム２００における補助ダウンリンクモード（たとえば、認可支援アクセス（ＬＡＡ：licensed assisted access）モード）の例では、第１の基地局２０５は、ダウンリンクチャネル２２０を使用して第１のＵＥ２１５に直交周波数分割多元接続（ＯＦＤＭＡ）波形を送信し得る。ダウンリンクチャネル２２０は、共有無線周波数スペクトル帯域中の周波数Ｆ１に関連付けられ得る。第１の基地局２０５は、第１の双方向リンク２２５を使用して第１のＵＥ２１５にＯＦＤＭＡ波形を送信し得、第１の双方向リンク２２５を使用して第１のＵＥ２１５からシングルキャリア周波数分割多元接続（ＳＣ−ＦＤＭＡ）波形を受信し得る。第１の双方向リンク２２５は、専用無線周波数スペクトル帯域中の周波数Ｆ４に関連付けられ得る。共有無線周波数スペクトル帯域中のダウンリンクチャネル２２０と専用無線周波数スペクトル帯域中の第１の双方向リンク２２５とは同時に動作し得る。ダウンリンクチャネル２２０は第１の基地局２０５にダウンリンク容量オフロードを与え得る。いくつかの例では、ダウンリンクチャネル２２０は、（たとえば、１つのＵＥに宛てられた）ユニキャストサービスのために、または（たとえば、いくつかのＵＥに宛てられた）マルチキャストサービスのために使用され得る。このシナリオは、専用無線周波数スペクトル帯域を使用し、トラフィックまたはシグナリング輻輳の一部を軽減する必要がある、サービスプロバイダ（たとえば、モバイルネットワーク事業者（ＭＮＯ））に関して発生し得る。
【００４２】
[0056]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブ波形を受信し得る。第２の双方向リンク２３０は、共有無線周波数スペクトル帯域中の周波数Ｆ１に関連付けられ得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、専用無線周波数スペクトル帯域中の周波数Ｆ２に関連付けられ得る。第２の双方向リンク２３０は、第１の基地局２０５にダウンリンクおよびアップリンク容量オフロードを与え得る。上記で説明した補助ダウンリンク（たとえば、認可支援アクセスモード）のように、このシナリオは、専用無線周波数スペクトル帯域を使用し、トラフィックまたはシグナリング輻輳の一部を軽減する必要がある、任意のサービスプロバイダ（たとえば、ＭＮＯ）に関して発生し得る。
【００４３】
[0057]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０は、共有無線周波数スペクトル帯域中の周波数Ｆ３に関連付けられ得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、専用無線周波数スペクトル帯域中の周波数Ｆ２に関連付けられ得る。第４の双方向リンク２４０は、ダウンリンクおよびアップリンク容量オフロードを第１の基地局２０５に与え得る。この例および上記で与えた例は説明の目的で提示されるものであり、容量オフロードのために、専用無線周波数スペクトル帯域中のＬＴＥ／ＬＴＥ−Ａを組み合わせ、共有無線周波数スペクトル帯域を使用する、他の同様の動作モードまたは展開シナリオがあり得る。
【００４４】
[0058]上記で説明したように、共有無線周波数スペクトル帯域中のＬＴＥ／ＬＴＥ−Ａを使用することによって提供される容量オフロードから恩恵を受け得る１つのタイプのサービスプロバイダは、専用無線周波数スペクトル帯域ＬＴＥ／ＬＴＥ−Ａへのアクセス権利を有する旧来のＭＮＯである。これらのサービスプロバイダの場合、動作例は、専用無線周波数スペクトル帯域上のＬＴＥ／ＬＴＥ−Ａ１次コンポーネントキャリア（ＰＣＣ）と共有無線周波数スペクトル帯域上の少なくとも１つの２次コンポーネントキャリア（ＳＣＣ）とを使用するブートストラップモード（たとえば、補助ダウンリンク（たとえば、ＬＡＡ）、キャリアアグリゲーション）を含み得る。
【００４５】
[0059]キャリアアグリゲーションモードでは、データおよび制御は、たとえば、専用無線周波数スペクトル帯域中で（たとえば、第１の双方向リンク２２５、第３の双方向リンク２３５、および第５の双方向リンク２４５を介して）通信され得るが、データは、たとえば、共有無線周波数スペクトル帯域中で（たとえば、第２の双方向リンク２３０および第４の双方向リンク２４０を介して）通信され得る。共有無線周波数スペクトル帯域を使用するときにサポートされるキャリアアグリゲーション機構は、ハイブリッドＦＤＤ−ＴＤＤキャリアアグリゲーションまたはコンポーネントキャリアにわたる異なる対称性を伴うＴＤＤ−ＴＤＤキャリアアグリゲーションに入り得る。
【００４６】
[0060]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブ波形を受信し得る。双方向リンク２５０は、共有無線周波数スペクトル帯域中の周波数Ｆ３に関連付けられ得る。スタンドアロンモードは、スタジアム内アクセス（たとえば、ユニキャスト、マルチキャスト）など、非旧来型ワイヤレスアクセスシナリオにおいて使用され得る。この動作モードについてのサービスプロバイダのタイプの一例は、専用無線周波数スペクトル帯域へのアクセスを有しない、スタジアム所有者、ケーブル会社、イベント主催者、ホテル、企業、または大企業であり得る。
【００４７】
[0061]いくつかの例では、図１または図２を参照しながら説明した基地局１０５、２０５、または２０５−ａのうちの１つ、あるいは図１または図２を参照しながら説明したＵＥ１１５、２１５、２１５−ａ、２１５−ｂ、または２１５−ｃのうちの１つなどの送信装置は、共有無線周波数スペクトル帯域のチャネルへの（たとえば、共有無線周波数スペクトル帯域の物理チャネルへの）アクセスを獲得するためにゲーティング間隔を使用し得る。いくつかの例では、ゲーティング間隔は周期的であり得る。たとえば、周期的ゲーティング間隔は、周期無線フレーム構造（たとえば、ＬＴＥ／ＬＴＥ−Ａ無線フレーム構造）の少なくとも１つの境界と同期され得る。ゲーティング間隔は、欧州通信規格協会（ＥＴＳＩ：European Telecommunications Standards Institute）（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置が、ＣＣＡプロシージャなどの競合プロシージャ（たとえば、ＬＢＴプロシージャ）をいつ実行する必要があるかを示し得る。ＣＣＡプロシージャの結果は、共有無線周波数スペクトル帯域のチャネルが（ＬＢＴ無線フレームとも呼ばれる）ゲーティング間隔のために利用可能であるのか使用中であるのかを送信装置に示し得る。チャネルが、対応するＬＢＴ無線フレームのために利用可能（たとえば、使用について「クリア」）であることをＣＣＡプロシージャが示すとき、送信装置は、ＬＢＴ無線フレームの一部または全部中に共有無線周波数スペクトル帯域のチャネルを予約または使用し得る。チャネルが利用可能でないこと（たとえば、チャネルが別の送信装置によって使用中または予約済みであること）をＣＣＡプロシージャが示すとき、送信装置は、ＬＢＴ無線フレーム中にチャネルを使用することを妨げられ得る。いくつかの例では、共有無線周波数スペクトル帯域のチャネルは、共有無線周波数スペクトル帯域上でＣＵＢＳを送信することによって予約され得る。
【００４８】
[0062]図３に、本開示の様々な態様による、固定ＬＢＴ無線フレーム構造（たとえば、ＬＢＴ無線フレームが周期無線フレーム構造３０５とアライメントされたＬＢＴ無線フレーム構造）を介してＵＥと通信する基地局のための再同期動作のタイミング図３００を示す。基地局は、同じＰＬＭＮのネイバリング基地局であり得、図１または図２を参照しながら説明した基地局１０５、２０５、または２０５−ａの態様の例であり得る。ＵＥは、同様に、図１または図２を参照しながら説明したＵＥ１１５、２１５、２１５−ａ、２１５−ｂ、または２１５−ｃの態様の例であり得る。
【００４９】
[0063]例として、図３は、専用無線周波数スペクトル帯域に関連する周期無線フレーム構造３０５に対する、共有無線周波数スペクトル帯域上で第１の基地局によって送信されたＬＢＴ無線フレームのタイムライン３１０と、共有無線周波数スペクトル帯域上で第２の基地局によって送信されたＬＢＴ無線フレームのタイムライン３１５とを示す。専用無線周波数スペクトル帯域は、無線周波数スペクトル帯域が特定の使用のために特定のユーザに認可されているので、送信装置がそれについてアクセスを求めて競合しないことがある無線周波数スペクトル帯域（たとえば、ＬＴＥ／ＬＴＥ−Ａ通信のために使用可能な認可無線周波数スペクトル帯域）であり得る。共有無線周波数スペクトル帯域は、送信装置がそれについてアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）であり得る。
【００５０】
[0064]図３に示されている周期無線フレーム構造３０５は、システムフレーム番号（ＳＦＮ：system frame number）４、５、６、７、８、および９によって指定された無線フレームを含む。再同期オケージョンがＳＦＮ４およびＳＦＮ８の各々中で与えられる（たとえば、第１の再同期オケージョン３２０がＳＦＮ４中で与えられ、第２の再同期オケージョン３２５がＳＦＮ８中で与えられる）。
【００５１】
[0065]第１の再同期オケージョン３２０中に、第１の基地局と第２の基地局とは、それらのＬＢＴ無線フレームタイミングを再同期させ得る。第１の再同期オケージョン３２０中に実行された再同期の後、そして第１の基地局および第２の基地局の各々が送信または受信すべきデータを有するとき、第１の基地局および第２の基地局の各々は、共有無線周波数スペクトル帯域へのアクセスを求めて競合し得る。第１の基地局および第２の基地局が同じＰＬＭＮに属し、同期されるので、第１の基地局および第２の基地局は、両方とも共有無線周波数スペクトル帯域へのアクセスを求める競合に勝つか、または両方とも負け得る。第１の基地局および第２の基地局が両方とも共有無線周波数スペクトル帯域へのアクセスを求める競合に勝ったとき、第１の基地局および第２の基地局の各々は、再利用１モードで、同時にそれぞれのＬＢＴ無線フレームを送信し得る（たとえば、第１の基地局は第１のＬＢＴ無線フレーム３３０を送信し得、第２の基地局は第２のＬＢＴ無線フレーム３３５を送信し得る）。第１の基地局および第２の基地局が両方とも送信すべきデータを有し、ＳＦＮ６について共有無線周波数スペクトル帯域へのアクセスを求める競合に勝つことが可能であるとき、第１の基地局および第２の基地局は再利用１モードで動作し続け得る。しかしながら、図３に示されている例では、第１の基地局も第２の基地局も、ＳＦＮ６の始めに共有無線周波数スペクトル帯域へのアクセスを求める競合に勝つことが可能でない。第１の基地局または第２の基地局の一方または両方が（たとえば、第１の基地局または第２の基地局の近傍にある共有無線周波数スペクトル帯域を使用する他のデバイスのアクティビティゆえに）共有無線周波数スペクトル帯域へのアクセスを求める競合に勝つことに失敗すると、第１の基地局および第２の基地局は、共有無線周波数スペクトル帯域にアクセスすることに関して時間領域多重化（ＴＤＭ）モードで動作し得る。
【００５２】
[0066]例として、第１の基地局は、ＳＦＮ６の途中で、および再びＳＦＮ７について共有無線周波数スペクトル帯域へのアクセスを求める競合に勝つことが示されている。第１の基地局が共有無線周波数スペクトル帯域へのアクセスを求める競合に勝つ無線フレーム中で、第２の基地局は、共有無線周波数スペクトル帯域へのアクセスを求める競合に勝つことを妨げられ得る。同様に、第２の基地局が共有無線周波数スペクトル帯域へのアクセスを求める競合に勝つ無線フレーム中で（たとえば、ＳＦＮ８中で）、第１の基地局は、共有無線周波数スペクトル帯域へのアクセスを求める競合に勝つことを妨げられ得る。
【００５３】
[0067]第２の再同期オケージョン３２５中に、第１の基地局と第２の基地局とは、それらのＬＢＴ無線フレームタイミングをもう一度再同期させ、再利用１モードで動作し得る。
【００５４】
[0068]再利用１モードでの動作とＴＤＭモードでの動作との間の第１の基地局と第２の基地局との切替えは、基地局の干渉環境に影響を及ぼし得る。たとえば、第１の基地局が第２の基地局に対して再利用１モードで動作するとき、第１の基地局のダウンリンク送信は第２の基地局の送信からの（および同じＰＬＭＮ内の他の基地局からの）干渉を受け得る。しかしながら、第１の基地局が第２の基地局に対してＴＤＭモードで動作するとき、第１の基地局のダウンリンク送信は第２の基地局の送信からの（または同じＰＬＭＮ内の他の基地局からの）干渉を受けないことがある。これらの異なる干渉環境は、第１の基地局に関連するＵＥのリンク品質の変動を生じ得る（たとえば、ＣＳＩフィードバックおよびＰＤＳＣＨ復号の成功／失敗は変動し得る）。
【００５５】
[0069]第１の基地局がＵＥからダウンリンク送信に関するフィードバックを受信し、フィードバックに応答して第１の基地局のＨＡＲＱアウターフィードバックループ（outer feedback loop）またはＣＳＩフィードバックアウターループを更新する場合、フィードバックが再利用１モードで行われたダウンリンク送信に対応するのか、ＴＤＭモードで行われたダウンリンク送信に対応するのかにかかわらず、第１の基地局の性能は悪影響を及ぼされ得る。たとえば、再利用１モードで行われた第１のダウンリンク送信についてのフィードバックが、ＴＤＭモードで行われることになる第２のダウンリンク送信をスケジュールする前に、ＨＡＲＱアウターフィードバックループまたはＣＳＩアウターフィードバックループを更新するために使用されるとき、ＨＡＲＱアウターフィードバックループまたはＣＳＩアウターフィードバックループの更新により、サポートされるよりも低いＭＣＳがダウンリンク送信のために使用され得、それにより、未使用リンク容量の結果としてダウンリンク上の効率が低下し得る。ＴＤＭモードで行われた第１のダウンリンク送信についてのフィードバックが、再利用１モードで行われるべき第２のダウンリンク送信をスケジュールする前に、ＨＡＲＱアウターフィードバックループまたはＣＳＩアウターフィードバックループを更新するために使用されるとき、ＨＡＲＱアウターフィードバックループまたはＣＳＩアウターフィードバックループの更新により、サポートされるよりも高いＭＣＳまたはランクがダウンリンク送信のために使用され得、それにより、第２のダウンリンク送信を復号することにＵＥが失敗することの結果としてダウンリンク上の効率が低下し得る。上述の効率の低下は、いくつかの例では、たとえば、図５、図６、図７、図８、図９、図１２、図１３、図１４、または図１５を参照しながら説明するように、ダウンリンク送信に関連する干渉パラメータに少なくとも部分的に基づいてダウンリンク送信について受信されたフィードバックを分類することによって、ダウンリンク送信についての干渉パラメータを識別することによって、およびダウンリンク送信についての識別された干渉パラメータに関連するフィードバックカテゴリーに基づいてダウンリンク送信をスケジュールすることによって緩和され得る。
【００５６】
[0070]いくつかの例では、基地局は、ＵＥからダウンリンク送信に関連する複数のフィードバック信号を受信し得る。複数のフィードバック信号は、複数のＵＥによって、または単一のＵＥから送信され得る。いくつかの事例では、複数のフィードバック信号のうちの１つまたは複数は、ダウンリンク送信に関連する干渉パラメータの指示を含み得る。他の事例では、複数の信号は、ダウンリンク送信に関連する干渉パラメータまたは他のパラメータに関係する情報を含まないことがある。いずれの場合も、基地局は、次いで、基地局によって決定されるか、またはＵＥによって送信された指示から取得され得る干渉パラメータに基づいて、複数のフィードバック信号のうちの１つまたは複数を分類し得る。たとえば、基地局は、フィードバック信号が再利用１モードで行われたダウンリンク送信に関連するのか、またはＴＤＭモードで行われたダウンリンク送信に関連するのかに基づいて、ＵＥからのダウンリンク送信に関連する複数のフィードバック信号のサブセットを分類し得る。分類した後に、基地局は、次いで、ＵＥについての後続のダウンリンク送信に関連するリソースをスケジュールし得る。いくつかの場合には、基地局はまた、ＨＡＲＱアウターフィードバックループまたはＣＳＩアウターフィードバックループのうちの１つまたは複数を更新し得、スケジュールすることは、更新されたＨＡＲＱアウターフィードバックループまたは更新されたＣＳＩアウターフィードバックループに基づいて後続のダウンリンク送信のためのＭＣＳを決定することを伴い得る。複数のフィードバック信号をこのようにして分類することによって、基地局は、たとえば、後続のダウンリンク送信が再利用１モードで行われるべきであるのかＴＤＭモードで行われるべきであるのかに基づいて、ＵＥについての後続のダウンリンク送信をスケジュール可能であり得る。
【００５７】
[0071]図４に、本開示の様々な態様による、浮動ＬＢＴ無線フレーム構造（たとえば、ＬＢＴ無線フレームが周期無線フレーム構造４０５とアライメントされないことがあるＬＢＴ無線フレーム構造）を介してＵＥと通信する基地局についての再同期動作のタイミング図４００を示す。基地局は、同じＰＬＭＮのネイバリング基地局であり得、図１または図２を参照しながら説明した基地局１０５、２０５、または２０５−ａの態様の例であり得る。ＵＥは、同様に、図１または図２を参照しながら説明したＵＥ１１５、２１５、２１５−ａ、２１５−ｂ、または２１５−ｃの態様の例であり得る。
【００５８】
[0072]例として、図４は、専用無線周波数スペクトル帯域に関連する周期無線フレーム構造４０５に対する、共有無線周波数スペクトル帯域上で第１の基地局によって送信されたＬＢＴ無線フレームのタイムライン４１０と、共有無線周波数スペクトル帯域上で第２の基地局によって送信されたＬＢＴ無線フレームのタイムライン４１５とを示す。専用無線周波数スペクトル帯域は、無線周波数スペクトル帯域が特定の使用のために特定のユーザに認可されているので、送信装置がそれについてアクセスを求めて競合しないことがある無線周波数スペクトル帯域（たとえば、ＬＴＥ／ＬＴＥ−Ａ通信のために使用可能な認可無線周波数スペクトル帯域）であり得る。共有無線周波数スペクトル帯域は、送信装置がそれについてアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）であり得る。
【００５９】
[0073]図４に示されている周期無線フレーム構造４０５は、ＳＦＮ４、５、６、７、８、および９によって指定された無線フレームを含む。再同期オケージョンがＳＦＮ４およびＳＦＮ８の各々中で与えられる（たとえば、第１の再同期オケージョン４２０がＳＦＮ４中で与えられ、第２の再同期オケージョン４２５がＳＦＮ８中で与えられる）。
【００６０】
[0074]第１の再同期オケージョン４２０中に、第１の基地局と第２の基地局とは、それらのＬＢＴ無線フレームタイミングを再同期させ得る。第１の再同期オケージョン４２０中に実行された再同期の後に、ならびに第１の基地局および第２の基地局の各々が送信または受信すべきデータを有するとき、第１の基地局および第２の基地局の各々は、共有無線周波数スペクトル帯域へのアクセスを求めて競合し得る。第１の基地局および第２の基地局が同じＰＬＭＮに属し、同期されるので、第１の基地局および第２の基地局は、両方とも共有無線周波数スペクトル帯域へのアクセスを求める競合に勝つか、または両方とも負け得る。第１の基地局および第２の基地局が両方とも共有無線周波数スペクトル帯域へのアクセスを求める競合に勝ったとき、第１の基地局および第２の基地局の各々は、再利用１モードで、同時にそれぞれのＬＢＴ無線フレームを送信し得る（たとえば、第１の基地局は第１のＬＢＴ無線フレーム４３０を送信し得、第２の基地局は第２のＬＢＴ無線フレーム４３５を送信し得る）。第１の基地局および第２の基地局が両方とも送信すべきデータを有し、ＳＦＮ６について共有無線周波数スペクトル帯域へのアクセスを求める競合に勝つことが可能であるとき、第１の基地局および第２の基地局は再利用１モードで動作し続け得る。しかしながら、図４に示されている例では、第１の基地局も第２の基地局も、ＳＦＮ６の始めに共有無線周波数スペクトル帯域へのアクセスを求める競合に勝つことが可能でない。第１の基地局または第２の基地局の一方または両方が（たとえば、第１の基地局または第２の基地局の近傍にある共有無線周波数スペクトル帯域を使用する他のデバイスのアクティビティゆえに）共有無線周波数スペクトル帯域へのアクセスを求める競合に勝つことに失敗すると、第１の基地局および第２の基地局は、共有無線周波数スペクトル帯域にアクセスすることに関してＴＤＭモードで動作し得る。
【００６１】
[0075]例として、第１の基地局は、ＳＦＮ６の途中からＳＦＮ７の途中までの送信／受信されるＬＢＴ無線フレームについて、および再びＳＦＮ７の途中からＳＦＮ８の途中までの送信／受信されるＬＢＴ無線フレームについて、共有無線周波数スペクトル帯域へのアクセスを求める競合に勝つことが示されている。第１の基地局が共有無線周波数スペクトル帯域へのアクセスを求める競合に勝つＬＢＴ無線フレーム中に、第２の基地局は、共有無線周波数スペクトル帯域へのアクセスを求める競合に勝つことを妨げられ得る。同様に、第２の基地局が共有無線周波数スペクトル帯域へのアクセスを求める競合に勝つＬＢＴ無線フレーム中に（たとえば、ＳＦＮ８の後半中に）、第１の基地局は、共有無線周波数スペクトル帯域へのアクセスを求める競合に勝つことを妨げられ得る。
【００６２】
[0076]第２の再同期オケージョン４２５中に、第１の基地局と第２の基地局とは、それらのＬＢＴ無線フレームタイミングをもう一度再同期させ、再利用１モードで動作し得る。
【００６３】
[0077]図３を参照しながら説明したように、再利用１モードでの動作とＴＤＭモードでの動作との間の第１の基地局と第２の基地局との切替えは、基地局の干渉環境に影響を及ぼし得る。たとえば、第１の基地局が第２の基地局に対して再利用１モードで動作するとき、第１の基地局のダウンリンク送信は第２の基地局の送信からの（および同じＰＬＭＮ内の他の基地局からの）干渉を受け得る。しかしながら、第１の基地局が第２の基地局に対してＴＤＭモードで動作するとき、第１の基地局のダウンリンク送信は第２の基地局の送信からの（または同じＰＬＭＮ内の他の基地局からの）干渉を受けないことがある。これらの異なる干渉環境は、第１の基地局に関連するＵＥのリンク品質の変動を生じ得る（たとえば、ＣＳＩフィードバックおよびＰＤＳＣＨ復号の成功／失敗は変動し得る）。
【００６４】
[0078]第１の基地局がＵＥからダウンリンク送信に関するフィードバックを受信し、フィードバックに応答して第１の基地局のＨＡＲＱアウターフィードバックループまたはＣＳＩフィードバックアウターループを更新する場合、フィードバックが再利用１モードで行われたダウンリンク送信に対応するのか、ＴＤＭモードで行われたダウンリンク送信に対応するのかにかかわらず、第１の基地局の性能は悪影響を及ぼされ得る。たとえば、再利用１モードで行われた第１のダウンリンク送信についてのフィードバックが、ＴＤＭモードで行われることになる第２のダウンリンク送信をスケジュールする前に、ＨＡＲＱアウターフィードバックループまたはＣＳＩアウターフィードバックループを更新するために使用されるとき、ＨＡＲＱアウターフィードバックループまたはＣＳＩアウターフィードバックループの更新により、サポートされるよりも低いＭＣＳがダウンリンク送信のために使用され得、それにより、未使用リンク容量の結果としてダウンリンク上の効率が低下し得る。ＴＤＭモードで行われた第１のダウンリンク送信についてのフィードバックが、再利用１モードで行われるべき第２のダウンリンク送信をスケジュールする前に、ＨＡＲＱアウターフィードバックループまたはＣＳＩアウターフィードバックループを更新するために使用されるとき、ＨＡＲＱアウターフィードバックループまたはＣＳＩアウターフィードバックループの更新により、サポートされるよりも高いＭＣＳまたはランクがダウンリンク送信のために使用され得、それにより、第２のダウンリンク送信を復号することにＵＥが失敗することの結果としてダウンリンク上の効率が低下し得る。上述の効率の低下は、いくつかの例では、たとえば、図５、図６、図７、図８、図９、図１２、図１３、図１４、または図１５を参照しながら説明するように、ダウンリンク送信に関連する干渉パラメータに少なくとも部分的に基づいてダウンリンク送信について受信されたフィードバックを分類することによって、ダウンリンク送信についての干渉パラメータを識別することによって、およびダウンリンク送信についての識別された干渉パラメータに関連するフィードバックカテゴリーに基づいてダウンリンク送信をスケジュールすることによって緩和され得る。
【００６５】
[0079]図５に、本開示の様々な態様による、共有無線周波数スペクトル帯域上の基地局５０５とＵＥ５１５との間の通信フロー５００を示す。基地局５０５およびＵＥ５１５は、図１または図２を参照しながら説明した基地局１０５、２０５、または２０５−ａ、あるいはＵＥ１１５、２１５、２１５−ａ、２１５−ｂ、または２１５−ｃの態様の例であり得る。
【００６６】
[0080]通信フロー５００は、基地局５０５がＵＥ５１５に第１のダウンリンク送信５２０を送信することから始まり得る。ブロック５２５において、第１のダウンリンク送信５２０を受信すると、ＵＥ５１５は、第１のダウンリンク送信５２０についてのフィードバック５３０を生成し得る。フィードバック５３０は基地局５０５に送信され得る。
【００６７】
[0081]ブロック５３５において、基地局５０５は、フィードバック５３０を複数のフィードバックカテゴリーのうちの１つに分類し得る。分類は、第１のダウンリンク送信についての干渉パラメータに少なくとも部分的に基づき得る。いくつかの例では、干渉パラメータは、再利用１モードでの送信、またはＴＤＭモードでの送信のうちの１つを含み得る。
【００６８】
[0082]ブロック５４０において、基地局５０５は、後続のダウンリンク送信５５０についての干渉パラメータを識別し得、ブロック５４５において、基地局５０５は、ブロック５３５において識別された干渉パラメータに関連するフィードバックカテゴリーに分類されたフィードバックに少なくとも部分的に基づいて、後続のダウンリンク送信５５０をスケジュールし得る。後続のダウンリンク送信５５０はＵＥ５１５に送信され得る。ダウンリンク送信についてのフィードバックの分類と、後続の送信について識別された干渉パラメータに関連するフィードバックカテゴリーに分類されたフィードバックに少なくとも部分的に基づく、後続の送信のスケジューリングとは、異なる干渉パラメータに関連するダウンリンク送信のための適切なＭＣＳの選択を可能にすることによって、ダウンリンク送信の効率を改善し得る。
【００６９】
[0083]図６に、本開示の様々な態様による、ワイヤレス通信において使用するための装置６０５のブロック図６００を示す。装置６０５は、図１、図２、または図５を参照しながら説明した基地局１０５、２０５、２０５−ａ、または５０５のうちの１つまたは複数の態様の一例であり得る。装置６０５はまた、プロセッサであるか、またはそれを含み得る。装置６０５は、受信機モジュール６１０、ワイヤレス通信管理モジュール６２０、または送信機モジュール６３０を含み得る。これらのモジュールの各々は互いに通信し得る。
【００７０】
[0084]装置６０５のモジュールは、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、システムオンチップ（ＳｏＣ）、または他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【００７１】
[0085]いくつかの例では、受信機モジュール６１０は、専用無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれについてアクセスを求めて競合しないことがある、無線周波数スペクトル帯域）または共有無線周波数スペクトル帯域（たとえば、送信装置がそれについてアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で伝送を受信するように動作可能な少なくとも１つの無線周波数（ＲＦ）受信機など、少なくとも１つのＲＦ受信機を含み得る。いくつかの例では、専用無線周波数スペクトル帯域または共有無線周波数スペクトル帯域は、たとえば、図１、図２、図３、図４、または図５を参照しながら説明したように、ＬＴＥ／ＬＴＥ−Ａ通信のために使用され得る。受信機モジュール６１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、伝送（transmissions））を受信するために使用され得る。通信リンクは、第１の無線周波数スペクトル帯域または第２の無線周波数スペクトル帯域上で確立され得る。
【００７２】
[0086]いくつかの例では、送信機モジュール６３０は、専用無線周波数スペクトル帯域または共有無線周波数スペクトル帯域上で送信するように動作可能な少なくとも１つのＲＦ送信機など、少なくとも１つのＲＦ送信機を含み得る。送信機モジュール６３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、伝送）を送信するために使用され得る。通信リンクは、専用無線周波数スペクトル帯域または共有無線周波数スペクトル帯域上で確立され得る。
【００７３】
[0087]いくつかの例では、ワイヤレス通信管理モジュール６２０は、共有無線周波数スペクトル帯域上の送信機モジュール６３０を介したダウンリンク送信（たとえば、第１のダウンリンク送信または後続のダウンリンク送信）の送信と、共有無線周波数スペクトル帯域上の受信機モジュール６１０を介したダウンリンク送信についてのフィードバックの受信とを含む、装置６０５についてのワイヤレス通信の１つまたは複数の態様を管理するために使用され得る。いくつかの例では、ワイヤレス通信管理モジュール６２０は、フィードバック分類モジュール６３５、干渉パラメータ識別モジュール６４０、またはダウンリンクスケジューリングモジュール６４５を含み得る。いくつかの例では、ワイヤレス通信管理モジュール６２０の部分は、受信機モジュール６１０または送信機モジュール６３０に組み込まれ得る。
【００７４】
[0088]いくつかの例では、フィードバック分類モジュール６３５は、共有無線周波数スペクトル帯域上で第１のダウンリンク送信について受信されたフィードバックを分類するために使用され得る。フィードバックは、複数のフィードバックカテゴリーのうちの１つに分類され得、第１のダウンリンク送信についての干渉パラメータに少なくとも部分的に基づき得る。いくつかの例では、第１のダウンリンク送信についての干渉パラメータは、再利用１モードでの送信、またはＴＤＭモードでの送信のうちの１つを含み得る。いくつかの例では、第１のダウンリンク送信について受信されたフィードバックは、ＣＳＩ、ＡＣＫ／ＮＡＣＫフィードバック、またはそれらの組合せを含み得る。
【００７５】
[0089]いくつかの例では、干渉パラメータ識別モジュール６４０は、後続のダウンリンク送信についての干渉パラメータを識別するために使用され得る。
【００７６】
[0090]いくつかの例では、ダウンリンクスケジューリングモジュール６４５は、後続のダウンリンク送信についての識別された干渉パラメータに関連するフィードバックカテゴリーに分類されたフィードバックに少なくとも部分的に基づいて、後続のダウンリンク送信をスケジュールするために使用され得る。
【００７７】
[0091]図７に、本開示の様々な態様による、ワイヤレス通信において使用するための装置７０５のブロック図７００を示す。装置７０５は、図１、図２、または図５を参照しながら説明した基地局１０５、２０５、２０５−ａ、または５０５のうちの１つまたは複数の態様、あるいは図６を参照しながら説明した装置６０５の態様の一例であり得る。装置７０５はまた、プロセッサであるか、またはそれを含み得る。装置７０５は、受信機モジュール７１０、ワイヤレス通信管理モジュール７２０、または送信機モジュール７３０を含み得る。これらのモジュールの各々は互いに通信し得る。
【００７８】
[0092]装置７０５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、または他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【００７９】
[0093]いくつかの例では、受信機モジュール７１０は、専用無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれについてアクセスを求めて競合しないことがある、無線周波数スペクトル帯域）または共有無線周波数スペクトル帯域（たとえば、送信装置がそれについてアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で伝送を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１、図２、図３、図４、または図５を参照しながら説明したように、ＬＴＥ／ＬＴＥ−Ａ通信のために使用され得る。受信機モジュール７１０は、いくつかの場合には、専用無線周波数スペクトル帯域および共有無線周波数スペクトル帯域についての別個の受信機を含み得る。別個の受信機は、いくつかの例では、専用無線周波数スペクトル帯域上で通信するためのＬＴＥ／ＬＴＥ−Ａ受信機モジュール（たとえば、専用ＲＦスペクトル帯域のためのＬＴＥ／ＬＴＥ−Ａ受信機モジュール７１２）、および共有無線周波数スペクトル帯域上で通信するためのＬＴＥ／ＬＴＥ−Ａ受信機モジュール（たとえば、共有ＲＦスペクトル帯域のためのＬＴＥ／ＬＴＥ−Ａ受信機モジュール７１４）の形態をとり得る。専用ＲＦスペクトル帯域のためのＬＴＥ／ＬＴＥ−Ａ受信機モジュール７１２または共有ＲＦスペクトル帯域のためのＬＴＥ／ＬＴＥ−Ａ受信機モジュール７１４を含む受信機モジュール７１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、伝送）を受信するために使用され得る。通信リンクは、専用無線周波数スペクトル帯域または共有無線周波数スペクトル帯域上で確立され得る。
【００８０】
[0094]いくつかの例では、送信機モジュール７３０は、専用無線周波数スペクトル帯域または共有無線周波数スペクトル帯域上で送信するように動作可能な少なくとも１つのＲＦ送信機など、少なくとも１つのＲＦ送信機を含み得る。送信機モジュール７３０は、いくつかの場合には、専用無線周波数スペクトル帯域および共有無線周波数スペクトル帯域についての別個の送信機を含み得る。別個の送信機は、いくつかの例では、専用無線周波数スペクトル帯域上で通信するためのＬＴＥ／ＬＴＥ−Ａ送信機モジュール（たとえば、専用ＲＦスペクトル帯域のためのＬＴＥ／ＬＴＥ−Ａ送信機モジュール７３２）、および共有無線周波数スペクトル帯域上で通信するためのＬＴＥ／ＬＴＥ−Ａ送信機モジュール（たとえば、共有ＲＦスペクトル帯域のためのＬＴＥ／ＬＴＥ−Ａ送信機モジュール７３４）の形態をとり得る。専用ＲＦスペクトル帯域のためのＬＴＥ／ＬＴＥ−Ａ送信機モジュール７３２または共有ＲＦスペクトル帯域のためのＬＴＥ／ＬＴＥ−Ａ送信機モジュール７３４を含む送信機モジュール７３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、伝送）を送信するために使用され得る。通信リンクは、専用無線周波数スペクトル帯域または共有無線周波数スペクトル帯域上で確立され得る。
【００８１】
[0095]いくつかの例では、ワイヤレス通信管理モジュール７２０は、共有無線周波数スペクトル帯域上の送信機モジュール７３０を介したダウンリンク送信の送信と、受信機モジュール７１０を介したダウンリンク送信についてのフィードバックの受信とを含む、装置７０５についてのワイヤレス通信の１つまたは複数の態様を管理するために使用され得る。いくつかの例では、ダウンリンク送信についてのフィードバックは、ＣＳＩ、ＡＣＫ／ＮＡＣＫフィードバック、またはそれらの組合せを含み得る。いくつかの例では、ワイヤレス通信管理モジュール７２０は、フィードバック分類モジュール７３５、干渉パラメータ識別モジュール７４０、ダウンリンクスケジューリングモジュール７４５、またはフィードバックアウターループ維持モジュール（feedback outer loop maintenance module）７６０を含み得る。いくつかの例では、ワイヤレス通信管理モジュール７２０の部分は、受信機モジュール７１０または送信機モジュール７３０に組み込まれ得る。
【００８２】
[0096]干渉パラメータ識別モジュール７４０は、ダウンリンク送信についての干渉パラメータを識別するために使用され得る。いくつかの例では、ダウンリンク送信についての干渉パラメータは、再利用１モードでの送信、またはＴＤＭモードでの送信のうちの１つを含み得る。いくつかの例では、干渉パラメータ識別モジュール７４０は、指示処理モジュール７５０または基地局送信ステータス処理モジュール７５５を含み得る。指示処理モジュール７５０は、ダウンリンク送信についてのフィードバックとともにダウンリンク送信についての干渉パラメータの指示を受信するために使用され得る。基地局送信ステータス処理モジュール７５５は、少なくとも１つの他の基地局から送信ステータスを受信し、送信ステータスに少なくとも部分的に基づいて、ダウンリンク送信についての干渉パラメータを識別するために使用され得る。送信ステータスは、ダウンリンク送信が送信された時間に存在した送信ステータスであり得る。いくつかの例では、装置７０５、および送信ステータスがそれから受信される少なくとも１つの他の基地局は、同じＰＬＭＮに属し得る。いくつかの例では、送信ステータスを受信することは、ＣＵＢＳ、またはＰＦＦＩＣＨ、あるいはそれらの組合せを受信することを含み得る。
【００８３】
[0097]フィードバック分類モジュール７３５は、再利用１モードでのダウンリンク送信の送信を含むダウンリンク送信についての干渉パラメータに少なくとも部分的に基づいて、ダウンリンク送信について受信されたフィードバックを第１のフィードバックカテゴリーに分類するか、またはＴＤＭモードでのダウンリンク送信の送信を含むダウンリンク送信についての干渉パラメータに少なくとも部分的に基づいて、ダウンリンク送信について受信されたフィードバックを第２のフィードバックカテゴリーに分類するために使用され得る。
【００８４】
[0098]ダウンリンクスケジューリングモジュール７４５は、ダウンリンク送信について識別された干渉パラメータに関連するフィードバックカテゴリーに分類されたフィードバックに少なくとも部分的に基づいて、ダウンリンク送信をスケジュールする（たとえば、ダウンリンク送信のためのＭＣＳを選択する）ために使用され得る。ダウンリンク送信について識別された干渉パラメータが、再利用１モードでの送信を含むとき、フィードバックカテゴリーは第１のフィードバックカテゴリーであり得る。後続のダウンリンク送信について識別された干渉パラメータが、ＴＤＭモードでの送信を含むとき、フィードバックカテゴリーは第２のフィードバックカテゴリーであり得る。いくつかの例では、ダウンリンクスケジューリングモジュール７４５は、サブフレームごとにダウンリンクスケジューリングを実行し得る。
【００８５】
[0099]フィードバックアウターループ維持モジュール７６０は、複数のフィードバックカテゴリーのうちの各フィードバックカテゴリーについて、別個のＨＡＲＱフィードバックアウターループまたは別個のＣＳＩフィードバックアウターループのうちの少なくとも１つを維持するために使用され得る。いくつかの例では、フィードバックアウターループ維持モジュール７６０は、ダウンリンク送信について受信されたフィードバックを第１のフィードバックカテゴリーに分類すると、第２のフィードバックカテゴリーに関連するＨＡＲＱフィードバックアウターループ、または第２のフィードバックカテゴリーに関連するＣＳＩフィードバックアウターループのうちの少なくとも１つの少なくとも１つの更新をスキップし得る。フィードバックアウターループ維持モジュール７６０はまた、ダウンリンク送信について受信されたフィードバックを第２のフィードバックカテゴリーに分類すると、第１のフィードバックカテゴリーに関連するＨＡＲＱフィードバックアウターループ、または第１のフィードバックカテゴリーに関連するＣＳＩフィードバックアウターループのうちの少なくとも１つの少なくとも１つの更新をスキップし得る。
【００８６】
[0100]いくつかの例では、ダウンリンクスケジューリングモジュール７４５は、ダウンリンク送信についての干渉パラメータに関連するフィードバックカテゴリーに関連する、ＨＡＲＱフィードバックアウターループとＣＳＩフィードバックアウターループの一方または両方に少なくとも部分的に基づいて、ダウンリンク送信をスケジュールするために使用され得る。
【００８７】
[0101]図８に、本開示の様々な態様による、ワイヤレス通信において使用するための装置８１５のブロック図８００を示す。装置８１５は、図１、図２、または図５を参照しながら説明したＵＥ１１５、２１５、２１５−ａ、２１５−ｂ、２１５−ｃ、または５１５のうちの１つまたは複数の態様の一例であり得る。装置８１５はまた、プロセッサであるか、またはそれを含み得る。装置８１５は、受信機モジュール８１０、ワイヤレス通信管理モジュール８２０、または送信機モジュール８３０を含み得る。これらのモジュールの各々は互いに通信し得る。
【００８８】
[0102]装置８１５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、または他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【００８９】
[0103]いくつかの例では、受信機モジュール８１０は、専用無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれについてアクセスを求めて競合しないことがある、無線周波数スペクトル帯域）または共有無線周波数スペクトル帯域（たとえば、送信装置がそれについてアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で伝送を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１、図２、図３、図４、または図５を参照しながら説明したように、ＬＴＥ／ＬＴＥ−Ａ通信のために使用され得る。受信機モジュール８１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、伝送）を受信するために使用され得る。通信リンクは、第１の無線周波数スペクトル帯域または第２の無線周波数スペクトル帯域上で確立され得る。
【００９０】
[0104]いくつかの例では、送信機モジュール８３０は、専用無線周波数スペクトル帯域または共有無線周波数スペクトル帯域上で送信するように動作可能な少なくとも１つのＲＦ送信機など、少なくとも１つのＲＦ送信機を含み得る。送信機モジュール８３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、伝送）を送信するために使用され得る。通信リンクは、専用無線周波数スペクトル帯域または共有無線周波数スペクトル帯域上で確立され得る。
【００９１】
[0105]いくつかの例では、ワイヤレス通信管理モジュール８２０は、共有無線周波数スペクトル帯域上の受信機モジュール８１０を介したダウンリンク送信の受信と、送信機モジュール８３０を介したダウンリンク送信についてのフィードバックの送信とを含む、装置８１５についてのワイヤレス通信の１つまたは複数の態様を管理するために使用され得る。いくつかの例では、ワイヤレス通信管理モジュール８２０は、干渉パラメータ識別モジュール８３５、フィードバック生成モジュール８４０、またはフィードバック報告モジュール８４５を含み得る。いくつかの例では、ワイヤレス通信管理モジュール８２０の部分は、受信機モジュール８１０または送信機モジュール８３０に組み込まれ得る。
【００９２】
[0106]いくつかの例では、干渉パラメータ識別モジュール８３５は、共有無線周波数スペクトル帯域上で受信された第１のダウンリンク送信についての干渉パラメータを識別するために使用され得る。いくつかの例では、第１のダウンリンク送信についての干渉パラメータは、再利用１モードでの送信、またはＴＤＭモードでの送信のうちの１つを含み得る。
【００９３】
[0107]いくつかの例では、フィードバック生成モジュール８４０は、第１のダウンリンク送信についてのフィードバックを生成するために使用され得る。いくつかの例では、第１のダウンリンク送信について生成されたフィードバックは、ＣＳＩ、ＡＣＫ／ＮＡＣＫフィードバック、またはそれらの組合せを含み得る。
【００９４】
[0108]いくつかの例では、フィードバック報告モジュール８４５は、基地局に、干渉パラメータの指示と一緒にフィードバックを送るために使用され得る。
【００９５】
[0109]図９に、本開示の様々な態様による、ワイヤレス通信において使用するための装置９１５のブロック図９００を示す。装置９１５は、図１、図２、または図５を参照しながら説明したＵＥ１１５、２１５、２１５−ａ、２１５−ｂ、２１５−ｃ、または５１５のうちの１つまたは複数の態様、あるいは図８を参照しながら説明した装置８１５の態様の一例であり得る。装置９１５はまた、プロセッサであるか、またはそれを含み得る。装置９１５は、受信機モジュール９１０、ワイヤレス通信管理モジュール９２０、または送信機モジュール９３０を含み得る。これらのモジュールの各々は互いに通信し得る。
【００９６】
[0110]装置９１５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、または他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【００９７】
[0111]いくつかの例では、受信機モジュール９１０は、専用無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれについてアクセスを求めて競合しないことがある、無線周波数スペクトル帯域）または共有無線周波数スペクトル帯域（たとえば、送信装置がそれについてアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で伝送を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１、図２、図３、図４、または図５を参照しながら説明したように、ＬＴＥ／ＬＴＥ−Ａ通信のために使用され得る。受信機モジュール９１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機モジュール（たとえば、専用ＲＦスペクトル帯域のためのＬＴＥ／ＬＴＥ−Ａ受信機モジュール９１２）、および共有無線周波数スペクトル帯域上で通信するためのＬＴＥ／ＬＴＥ−Ａ受信機モジュール（たとえば、共有ＲＦスペクトル帯域のためのＬＴＥ／ＬＴＥ−Ａ受信機モジュール９１４）の形態をとり得る。専用ＲＦスペクトル帯域のためのＬＴＥ／ＬＴＥ−Ａ受信機モジュール９１２または共有ＲＦスペクトル帯域のためのＬＴＥ／ＬＴＥ−Ａ受信機モジュール９１４を含む受信機モジュール９１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、伝送）を受信するために使用され得る。通信リンクは、専用無線周波数スペクトル帯域または共有無線周波数スペクトル帯域上で確立され得る。
【００９８】
[0112]いくつかの例では、送信機モジュール９３０は、専用無線周波数スペクトル帯域または共有無線周波数スペクトル帯域上で送信するように動作可能な少なくとも１つのＲＦ送信機など、少なくとも１つのＲＦ送信機を含み得る。送信機モジュール９３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機モジュール（たとえば、専用ＲＦスペクトル帯域のためのＬＴＥ／ＬＴＥ−Ａ送信機モジュール９３２）、および共有無線周波数スペクトル帯域上で通信するためのＬＴＥ／ＬＴＥ−Ａ送信機モジュール（たとえば、共有ＲＦスペクトル帯域のためのＬＴＥ／ＬＴＥ−Ａ送信機モジュール９３４）の形態をとり得る。専用ＲＦスペクトル帯域のためのＬＴＥ／ＬＴＥ−Ａ送信機モジュール９３２または共有ＲＦスペクトル帯域のためのＬＴＥ／ＬＴＥ−Ａ送信機モジュール９３４を含む送信機モジュール９３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、伝送）を送信するために使用され得る。通信リンクは、専用無線周波数スペクトル帯域または共有無線周波数スペクトル帯域上で確立され得る。
【００９９】
[0113]いくつかの例では、ワイヤレス通信管理モジュール９２０は、共有無線周波数スペクトル帯域上の受信機モジュール９１０を介したダウンリンク送信の受信と、送信機モジュール９３０を介したダウンリンク送信についてのフィードバックの送信とを含む、装置９１５についてのワイヤレス通信の１つまたは複数の態様を管理するために使用され得る。いくつかの例では、ワイヤレス通信管理モジュール９２０は、干渉パラメータ識別モジュール９３５、フィードバック生成モジュール９４０、またはフィードバック報告モジュール９４５を含み得る。いくつかの例では、ワイヤレス通信管理モジュール９２０の部分は、受信機モジュール９１０または送信機モジュール９３０に組み込まれ得る。
【０１００】
[0114]干渉パラメータ識別モジュール９３５は、第１のダウンリンク送信についての干渉パラメータを識別するために使用され得る。いくつかの例では、第１のダウンリンク送信についての干渉パラメータは、再利用１モードでの送信、またはＴＤＭモードでの送信のうちの１つを含み得る。いくつかの例では、干渉パラメータ識別モジュール９３５は、基地局送信ステータス処理モジュール９５０または信号対雑音比（ＳＮＲ）測定モジュール９５５を含み得る。基地局送信ステータス処理モジュール９５０は、少なくとも１つのネイバリング基地局から送信ステータスを受信し、送信ステータスに少なくとも部分的に基づいて、第１のダウンリンク送信についての干渉パラメータを識別するために使用され得る。送信ステータスは、第１のダウンリンク送信が受信される時間に存在する送信ステータスであり得る。いくつかの例では、装置９１５および少なくとも１つのネイバリング基地局は、同じＰＬＭＮに属し得る。ＳＮＲ測定モジュール９５５は、第１のダウンリンク送信に関連するＳＮＲを測定し、測定されたＳＮＲに少なくとも部分的に基づいて第１のダウンリンク送信についての干渉パラメータを推定するために使用され得る。
【０１０１】
[0115]フィードバック生成モジュール９４０は、第１のダウンリンク送信についてのフィードバックを生成するために使用され得る。いくつかの例では、第１のダウンリンク送信について生成されたフィードバックは、ＣＳＩ、ＡＣＫ／ＮＡＣＫフィードバック、またはそれらの組合せを含み得る。
【０１０２】
[0116]フィードバック報告モジュール９４５は、基地局に、干渉パラメータの指示と一緒にフィードバックを送るために使用され得る。いくつかの例では、フィードバック報告モジュール９４５は、フィードバックとともに基地局に、少なくとも１つのネイバリング基地局からの送信ステータスを送り得る。
【０１０３】
[0117]図１０に、本開示の態様による、ワイヤレス通信において使用するための基地局１００５（たとえば、ｅＮＢの一部または全部を形成する基地局）のブロック図１０００を示す。いくつかの例では、基地局１００５は、図１、図２、または図５を参照しながら説明した基地局１０５、２０５、２０５−ａ、または５０５の１つまたは複数の態様、あるいは図６または図７を参照しながら説明した装置６０５または７０５のうちの１つまたは複数の態様の一例であり得る。基地局１００５は、図１、図２、図３、図４、図５、図６、または図７を参照しながら説明した基地局の特徴および機能のうちの少なくともいくつかを実装するかまたは可能にするように構成され得る。
【０１０４】
[0118]基地局１００５は、基地局プロセッサモジュール１０１０、基地局メモリモジュール１０２０、（（１つまたは複数の）基地局トランシーバモジュール１０５０によって表される）少なくとも１つの基地局トランシーバモジュール、（（１つまたは複数の）基地局アンテナ１０５５によって表される）少なくとも１つの基地局アンテナ、または基地局ワイヤレス通信管理モジュール１０６０を含み得る。基地局１００５はまた、基地局通信モジュール１０３０またはネットワーク通信モジュール１０４０のうちの１つまたは複数を含み得る。これらの構成要素の各々は、１つまたは複数のバス１０３５を介して、直接または間接的に、互いに通信し得る。
【０１０５】
[0119]基地局メモリモジュール１０２０は、ランダムアクセスメモリ（ＲＡＭ）または読取り専用メモリ（ＲＯＭ）を含み得る。基地局メモリモジュール１０２０は、実行されたとき、ダウンリンク送信について受信されたフィードバックの分類と、分類されたフィードバックに少なくとも部分的に基づくダウンリンク送信のスケジューリングとを含む、ワイヤレス通信に関係する本明細書で説明する様々な機能を基地局プロセッサモジュール１０１０に実行させるように構成された命令を含んでいるコンピュータ可読、コンピュータ実行可能コード１０２５を記憶し得る。代替的に、コード１０２５は、基地局プロセッサモジュール１０１０によって直接的に実行可能ではないが、（たとえば、コンパイルされ、実行されたとき）本明細書で説明する機能のうちのいくつかを基地局１００５に実行させるように構成され得る。
【０１０６】
[0120]基地局プロセッサモジュール１０１０は、インテリジェントハードウェアデバイス、たとえば、ＣＰＵ、マイクロコントローラ、ＡＳＩＣなどを含み得る。基地局プロセッサモジュール１０１０は、（１つまたは複数の）基地局トランシーバモジュール１０５０、基地局通信モジュール１０３０、またはネットワーク通信モジュール１０４０を通して受信された情報を処理し得る。基地局プロセッサモジュール１０１０はまた、（１つまたは複数の）アンテナ１０５５を通した送信のために（１つまたは複数の）トランシーバモジュール１０５０に送られるべき情報、１つまたは複数の他の基地局１００５−ａおよび１００５−ｂへの送信のために基地局通信モジュール１０３０に送られるべき情報、または図１を参照しながら説明したコアネットワーク１３０の１つまたは複数の態様の一例であり得る、コアネットワーク１０４５への送信のためにネットワーク通信モジュール１０４０に送られるべき情報を処理し得る。基地局プロセッサモジュール１０１０は、単独で、または、基地局ワイヤレス通信管理モジュール１０６０とともに、専用無線周波数スペクトル帯域または共有無線周波数スペクトル帯域上で通信すること（またはそれの上での通信を管理すること）の様々な態様を扱い得る。専用無線周波数スペクトル帯域は、送信装置がそれについてアクセスを求めて競合しないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がそれについてアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０１０７】
[0121]（１つまたは複数の）基地局トランシーバモジュール１０５０は、パケットを変調し、変調されたパケットを送信のために（１つまたは複数の）基地局アンテナ１０５５に与え、（１つまたは複数の）基地局アンテナ１０５５から受信されたパケットを復調するように構成されたモデムを含み得る。（１つまたは複数の）基地局トランシーバモジュール１０５０は、いくつかの例では、１つまたは複数の基地局送信機モジュールおよび１つまたは複数の別個の基地局受信機モジュールとして実装され得る。（１つまたは複数の）基地局トランシーバモジュール１０５０は、専用無線周波数スペクトル帯域または共有無線周波数スペクトル帯域中での通信をサポートし得る。（１つまたは複数の）基地局トランシーバモジュール１０５０は、（１つまたは複数の）アンテナ１７５５を介して、図１、図２、または図５参照しながら説明したＵＥ１１５、２１５、２１５−ａ、２１５−ｂ、２１５−ｃ、または５１５のうちの１つまたは複数、あるいは図８または図９を参照しながら説明した装置８１５または９１５のうちの１つまたは複数など、１つまたは複数のＵＥまたは装置と双方向に通信するように構成され得る。基地局１００５は、たとえば、複数の基地局アンテナ１０５５（たとえば、アンテナアレイ）を含み得る。基地局１００５は、ネットワーク通信モジュール１０４０を通してコアネットワーク１０４５と通信し得る。基地局１００５はまた、基地局通信モジュール１０３０を使用して、基地局１００５−ａおよび１００５−ｂなど、他の基地局と通信し得る。
【０１０８】
[0122]基地局ワイヤレス通信管理モジュール１０６０は、専用無線周波数スペクトル帯域または共有無線周波数スペクトル帯域上でのワイヤレス通信に関係する図１、図２、図３、図４、図５、図６、または図７を参照しながら説明した特徴または機能の一部または全部を実行または制御するように構成され得る。たとえば、基地局ワイヤレス通信管理モジュール１０６０は、専用無線周波数スペクトル帯域または共有無線周波数スペクトル帯域を使用して、補助ダウンリンクモード（たとえば、認可支援アクセスモード）、キャリアアグリゲーションモード、またはスタンドアロンモードをサポートするように構成され得る。基地局ワイヤレス通信管理モジュール１０６０は、専用無線周波数スペクトル帯域中でのＬＴＥ／ＬＴＥ−Ａ通信を扱うように構成された、専用ＲＦスペクトル帯域のための基地局ＬＴＥ／ＬＴＥ−Ａモジュール１０６５と、共有無線周波数スペクトル帯域中でのＬＴＥ／ＬＴＥ−Ａ通信を扱うように構成された、共有ＲＦスペクトル帯域のための基地局ＬＴＥ／ＬＴＥ−Ａモジュール１０７０とを含み得る。基地局ワイヤレス通信管理モジュール１０６０、またはそれの部分はプロセッサを含み得、あるいは基地局ワイヤレス通信管理モジュール１０６０の機能の一部または全部は、基地局プロセッサモジュール１０１０によって実行されるか、または基地局プロセッサモジュール１０１０とともに実行され得る。いくつかの例では、基地局ワイヤレス通信管理モジュール１０６０は、図６または図７を参照しながら説明したワイヤレス通信管理モジュール６２０または７２０の一例であり得る。
【０１０９】
[0123]図１１に、本開示の様々な態様による、ワイヤレス通信において使用するためのＵＥ１１１５のブロック図１１００を示す。ＵＥ１１１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどに含まれるかまたはそれらの一部であり得る。ＵＥ１１１５は、いくつかの例では、モバイル動作を可能にするために、小型バッテリーなどの内部電源（図示せず）を有し得る。いくつかの例では、ＵＥ１１１５は、図１、図２、または図５を参照しながら説明したＵＥ１１５、２１５、２１５−ａ、２１５−ｂ、２１５−ｃ、または５１５のうちの１つまたは複数の態様、あるいは図６または図７を参照しながら説明した装置６０５または７０５のうちの１つまたは複数の態様の一例であり得る。ＵＥ１１１５は、図１、図２、図３、図４、図５、図８、または図９を参照しながら説明したＵＥまたは装置の特徴および機能のうちの少なくともいくつかを実装するように構成され得る。
【０１１０】
[0124]ＵＥ１１１５は、ＵＥプロセッサモジュール１１１０、ＵＥメモリモジュール１１２０、（（１つまたは複数の）ＵＥトランシーバモジュール１１３０によって表される）少なくとも１つのＵＥトランシーバモジュール、（（１つまたは複数の）ＵＥアンテナ１１４０によって表される）少なくとも１つのＵＥアンテナ、またはＵＥワイヤレス通信管理モジュール１１６０を含み得る。これらの構成要素の各々は、１つまたは複数のバス１１３５を介して、直接または間接的に、互いに通信し得る。
【０１１１】
[0125]ＵＥメモリモジュール１１２０はＲＡＭまたはＲＯＭを含み得る。ＵＥメモリモジュール１１２０は、実行されたとき、ダウンリンク送信についてのフィードバックの報告を含む、ワイヤレス通信に関係する本明細書で説明する様々な機能をＵＥプロセッサモジュール１１１０に実行させるように構成された命令を含んでいるコンピュータ可読、コンピュータ実行可能コード１１２５を記憶し得る。代替的に、コード１１２５は、ＵＥプロセッサモジュール１１１０によって直接的に実行可能ではないが、（たとえば、コンパイルされ、実行されたとき）本明細書で説明する機能のうちのいくつかをＵＥ１１１５に実行させるように構成され得る。
【０１１２】
[0126]ＵＥプロセッサモジュール１１１０は、インテリジェントハードウェアデバイス、たとえば、中央処理ユニット（ＣＰＵ）、マイクロコントローラ、ＡＳＩＣなどを含み得る。ＵＥプロセッサモジュール１１１０は、（１つまたは複数の）ＵＥトランシーバモジュール１１３０を通して受信された情報、または（１つまたは複数の）ＵＥアンテナ１１４０を通した送信のために（１つまたは複数の）ＵＥトランシーバモジュール１１３０に送られるべき情報を処理し得る。ＵＥプロセッサモジュール１１１０は、単独で、または、ＵＥワイヤレス通信管理モジュール１１６０とともに、専用無線周波数スペクトル帯域または共有無線周波数スペクトル帯域上で通信すること（またはそれの上での通信を管理すること）の様々な態様を扱い得る。専用無線周波数スペクトル帯域は、送信装置がそれについてアクセスを求めて競合しないことがある、無線周波数スペクトル帯域（たとえば、ＬＴＥ／ＬＴＥ−Ａ通信のために使用可能な認可無線周波数スペクトル帯域など、特定の使用について特定のユーザに認可された無線周波数スペクトル帯域）を含み得る。共有無線周波数スペクトル帯域は、送信装置がそれについてアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０１１３】
[0127]（１つまたは複数の）ＵＥトランシーバモジュール１１３０は、パケットを変調し、変調されたパケットを送信のために（１つまたは複数の）ＵＥアンテナ１１４０に与え、（１つまたは複数の）ＵＥアンテナ１１４０から受信されたパケットを復調するように構成されたモデムを含み得る。（１つまたは複数の）ＵＥトランシーバモジュール１１３０は、いくつかの例では、１つまたは複数のＵＥ送信機モジュールおよび１つまたは複数の別個のＵＥ受信機モジュールとして実装され得る。（１つまたは複数の）ＵＥトランシーバモジュール１１３０は、認可無線周波数スペクトル帯域または無認可無線周波数スペクトル帯域中の通信をサポートし得る。（１つまたは複数の）ＵＥトランシーバモジュール１１３０は、（１つまたは複数の）ＵＥアンテナ１１４０を介して、図１、図２、図５、または図１０を参照しながら説明した基地局１０５、２０５、２０５−ａ、５０５、または１００５のうちの１つまたは複数、あるいは図６または図７を参照しながら説明した装置６０５または７０５のうちの１つまたは複数と双方向に通信するように構成され得る。ＵＥ１１１５は単一のＵＥアンテナを含み得るが、ＵＥ１１１５が複数のＵＥアンテナ１１４０を含み得る例があり得る。
【０１１４】
[0128]ＵＥワイヤレス通信管理モジュール１１６０は、専用無線周波数スペクトル帯域または共有無線周波数スペクトル帯域上でのワイヤレス通信に関係する図１、図２、図３、図４、図５、図８、または図９を参照しながら説明したＵＥまたは装置の特徴または機能の一部または全部を実行または制御するように構成され得る。たとえば、ＵＥワイヤレス通信管理モジュール１１６０は、専用無線周波数スペクトル帯域または共有無線周波数スペクトル帯域を使用して、補助ダウンリンクモード（たとえば、認可支援アクセスモード）、キャリアアグリゲーションモード、またはスタンドアロンモードをサポートするように構成され得る。ＵＥワイヤレス通信管理モジュール１１６０は、専用無線周波数スペクトル帯域中でのＬＴＥ／ＬＴＥ−Ａ通信を扱うように構成された、専用ＲＦスペクトル帯域のためのＵＥ  ＬＴＥ／ＬＴＥ−Ａモジュール１１６５と、共有無線周波数スペクトル帯域中でのＬＴＥ／ＬＴＥ−Ａ通信を扱うように構成された、共有ＲＦスペクトル帯域のためのＵＥ  ＬＴＥ／ＬＴＥ−Ａモジュール１１７０とを含み得る。ＵＥワイヤレス通信管理モジュール１１６０、またはそれの部分はプロセッサを含み得、あるいはＵＥワイヤレス通信管理モジュール１１６０の機能の一部または全部は、ＵＥプロセッサモジュール１１１０によって実行されるか、またはＵＥプロセッサモジュール１１１０とともに実行され得る。いくつかの例では、ＵＥワイヤレス通信管理モジュール１１６０は、図８または図９を参照しながら説明したワイヤレス通信管理モジュール８２０または９２０の一例であり得る。
【０１１５】
[0129]図１２は、本開示の様々な態様による、ワイヤレス通信のための方法１２００の一例を示すフローチャートである。明快のために、方法１２００について、図１、図２、図５、または図１０を参照しながら説明した基地局１０５、２０５、２０５−ａ、５０５、または１００５のうちの１つまたは複数の態様、あるいは図６または図７を参照しながら説明した装置６０５または７０５の態様に関して、以下で説明する。いくつかの例では、基地局または装置は、以下で説明する機能を実行するように基地局または装置の機能要素を制御するためのコードの１つまたは複数のセットを実行し得る。追加または代替として、基地局または装置は、専用ハードウェアを使用して、以下で説明する機能のうちの１つまたは複数を実行し得る。
【０１１６】
[0130]ブロック１２０５において、方法１２００は、共有無線周波数スペクトル帯域上で第１のダウンリンク送信について受信されたフィードバックを分類することを含み得る。フィードバックは、複数のフィードバックカテゴリーのうちの１つに分類され得、第１のダウンリンク送信についての干渉パラメータに少なくとも部分的に基づき得る。共有無線周波数スペクトル帯域は、送信装置がそれについてアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０１１７】
[0131]いくつかの例では、第１のダウンリンク送信についての干渉パラメータは、再利用１モードでの送信、またはＴＤＭモードでの送信のうちの１つを含み得る。いくつかの例では、第１のダウンリンク送信について受信されたフィードバックは、ＣＳＩ、ＡＣＫ／ＮＡＣＫフィードバック、またはそれらの組合せを含み得る。ブロック１２０５における（１つまたは複数の）動作は、図６、図７、または図１０を参照しながら説明したワイヤレス通信管理モジュール６２０または１０６０、あるいは図６または図７を参照しながら説明したフィードバック分類モジュール６３５を使用して実行され得る。
【０１１８】
[0132]ブロック１２１０において、方法１２００は、後続のダウンリンク送信についての干渉パラメータを識別することを含み得る。ブロック１２１０における（１つまたは複数の）動作は、図６、図７、または図１０を参照しながら説明したワイヤレス通信管理モジュール６２０または１０６０、あるいは図６または図７を参照しながら説明した干渉パラメータ識別モジュール６４０を使用して実行され得る。
【０１１９】
[0133]ブロック１２１５において、方法１２００は、後続のダウンリンク送信についての識別された干渉パラメータに関連するフィードバックカテゴリーに分類されたフィードバックに少なくとも部分的に基づいて、後続のダウンリンク送信をスケジュールすることを含み得る。ブロック１２１５における（１つまたは複数の）動作は、図６、図７、または図１０を参照しながら説明したワイヤレス通信管理モジュール６２０または１０６０、あるいは図６または図７を参照しながら説明したダウンリンクスケジューリングモジュール６４５を使用して実行され得る。
【０１２０】
[0134]したがって、方法１２００はワイヤレス通信を提供し得る。方法１２００は一実装形態にすぎないこと、および方法１２００の動作は、他の実装形態が可能であるように、並べ替えられるかまたは場合によっては変更され得ることに留意されたい。
【０１２１】
[0135]図１３は、本開示の様々な態様による、ワイヤレス通信のための方法１３００の一例を示すフローチャートである。明快のために、方法１３００について、図１、図２、図５、または図１０を参照しながら説明した基地局１０５、２０５、２０５−ａ、５０５、または１００５のうちの１つまたは複数の態様、あるいは図６または図７を参照しながら説明した装置６０５または７０５の態様に関して、以下で説明する。いくつかの例では、基地局または装置は、以下で説明する機能を実行するように基地局または装置の機能要素を制御するためのコードの１つまたは複数のセットを実行し得る。追加または代替として、基地局または装置は、専用ハードウェアを使用して、以下で説明する機能のうちの１つまたは複数を実行し得る。
【０１２２】
[0136]ブロック１３０５において、方法１３００は、共有無線周波数スペクトル帯域上で第１のダウンリンク送信についてのフィードバックを受信することを含み得る。いくつかの例では、第１のダウンリンク送信について受信されたフィードバックは、ＣＳＩ、ＡＣＫ／ＮＡＣＫフィードバック、またはそれらの組合せを含み得る。共有無線周波数スペクトル帯域は、送信装置がそれについてアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１３０５における（１つまたは複数の）動作は、図６、図７、または図１０を参照しながら説明したワイヤレス通信管理モジュール６２０または１０６０、図６または図７を参照しながら説明した受信機モジュール６１０または７１０、あるいは図１０を参照しながら説明した（１つまたは複数の）基地局トランシーバモジュール１０５０を使用して実行され得る。
【０１２３】
[0137]ブロック１３１０において、方法１３００は、第１のダウンリンク送信についての干渉パラメータを識別することを含み得る。いくつかの例では、第１のダウンリンク送信についての干渉パラメータは、再利用１モードでの送信、またはＴＤＭモードでの送信のうちの１つを含み得る。いくつかの例では、第１のダウンリンク送信についての干渉パラメータを識別することは、第１のダウンリンク送信についてのフィードバックとともに干渉パラメータの指示を受信することを含み得る。いくつかの例では、第１のダウンリンク送信についての干渉パラメータを識別することは、少なくとも１つの他の基地局から送信ステータスを受信することと、送信ステータスに少なくとも部分的に基づいて、第１のダウンリンク送信についての干渉パラメータを識別することとを含み得る。送信ステータスは、第１のダウンリンク送信が送信された時間に存在した送信ステータスであり得る。ある例では、方法１３００を実行する基地局または装置、および送信ステータスがそれから受信される少なくとも１つの他の基地局は、同じＰＬＭＮに属し得る。いくつかの例では、送信ステータスを受信することは、ＣＵＢＳ、またはＰＦＦＩＣＨ、あるいはそれらの組合せを受信することを含み得る。ブロック１３１０における（１つまたは複数の）動作は、図６、図７、または図１０を参照しながら説明したワイヤレス通信管理モジュール６２０または１０６０、図６または図７を参照しながら説明した干渉パラメータ識別モジュール６４０、あるいは図７を参照しながら説明した指示処理モジュール７５０または基地局送信ステータス処理モジュール７５５を使用して実行され得る。
【０１２４】
[0138]ブロック１３１５において、方法１３００は、第１のダウンリンク送信についての干渉パラメータに少なくとも部分的に基づいて、ブロック１３２０または１３２５に分岐し得る。干渉パラメータが再利用１モードでの送信を含むとき、方法１３００はブロック１３２０において続き得る。干渉パラメータがＴＤＭモードでの送信を含むとき、方法１３００はブロック１３２５において続き得る。
【０１２５】
[0139]ブロック１３２０において、方法１３００は、再利用１モードでの第１のダウンリンク送信の送信を含む第１のダウンリンク送信についての干渉パラメータに少なくとも部分的に基づいて、第１のダウンリンク送信について受信されたフィードバックを第１のフィードバックカテゴリー１３３０に分類することを含み得る。ブロック１３２５において、方法１３００は、ＴＤＭモードでの第１のダウンリンク送信の送信を含む第１のダウンリンク送信についての干渉パラメータに少なくとも部分的に基づいて、第１のダウンリンク送信について受信されたフィードバックを第２のフィードバックカテゴリー１３３５に分類することを含み得る。
【０１２６】
[0140]いくつかの例では、方法１３００は、複数のフィードバックカテゴリーのうちの各フィードバックカテゴリーについて、別個のＨＡＲＱフィードバックアウターループまたは別個のＣＳＩフィードバックアウターループのうちの少なくとも１つを維持することを含み得る。
【０１２７】
[0141]ブロック１３１５、１３２０、または１３２５における（１つまたは複数の）動作は、図６、図７、または図１０を参照しながら説明したワイヤレス通信管理モジュール６２０または１０６０、あるいは図６または図７を参照しながら説明したフィードバック分類モジュール６３５を使用して実行され得る。フィードバックアウターループの維持は、図６、図７、または図１０を参照しながら説明したワイヤレス通信管理モジュール６２０または１０６０、あるいは図７を参照しながら説明したフィードバックアウターループ維持モジュール７６０を使用して実行され得る。いくつかの例では、ブロック１３０５、１３１０、１３１５、１３２０、または１３２５における（１つまたは複数の）動作は、複数のダウンリンク送信の各々について実行され得る。
【０１２８】
[0142]ブロック１３４０において、方法１３００は、少なくとも１つの他の基地局から送信ステータスを受信することをオプションで含み得る。ある例では、方法１３００を実行する基地局または装置、および少なくとも１つの他の基地局は、同じＰＬＭＮに属し得る。いくつかの例では、送信ステータスを受信することは、ＣＵＢＳ、またはＰＦＦＩＣＨ、あるいはそれらの組合せを受信することを含み得る。ブロック１３４０における（１つまたは複数の）動作は、図６、図７、または図１０を参照しながら説明したワイヤレス通信管理モジュール６２０または１０６０、図６または図７を参照しながら説明した干渉パラメータ識別モジュール６４０または７４０、あるいは図７を参照しながら説明した基地局送信ステータス処理モジュール７５５を使用して実行され得る。
【０１２９】
[0143]ブロック１３４５において、方法１３００は、後続のダウンリンク送信についての干渉パラメータを識別することを含み得る。いくつかの例では、後続のダウンリンク送信についての干渉パラメータは、再利用１モードでの送信、またはＴＤＭモードでの送信のうちの１つを含み得る。いくつかの例では、後続のダウンリンク送信についての干渉パラメータを識別することは、ブロック１３４０において受信された送信ステータスに少なくとも部分的に基づいて、後続のダウンリンク送信についての干渉パラメータを識別することを含み得る。送信ステータスは、後続のダウンリンク送信が送信される時間に存在する送信ステータスであり得る。ある例では、方法１３００を実行する基地局または装置、および少なくとも１つの他の基地局は、同じＰＬＭＮに属し得る。ブロック１３４５における（１つまたは複数の）動作は、図６、図７、または図１０を参照しながら説明したワイヤレス通信管理モジュール６２０または１０６０、図６または図７を参照しながら説明した干渉パラメータ識別モジュール６４０、あるいは図７を参照しながら説明した指示処理モジュール７５０または基地局送信ステータス処理モジュール７５５を使用して実行され得る。
【０１３０】
[0144]ブロック１３５０において、方法１３００は、ブロック１３４５における後続のダウンリンク送信について識別された干渉パラメータに関連するフィードバックカテゴリーに分類されたフィードバックに少なくとも部分的に基づいて、後続のダウンリンク送信をスケジュールすること（たとえば、後続のダウンリンク送信のためのＭＣＳを選択すること）を含み得る。後続のダウンリンク送信について識別された干渉パラメータが、再利用１モードでの送信を含むとき、フィードバックカテゴリーは第１のフィードバックカテゴリー１３３０であり得る。後続のダウンリンク送信について識別された干渉パラメータが、ＴＤＭモードでの送信を含むとき、フィードバックカテゴリーは第２のフィードバックカテゴリー１３３５であり得る。いくつかの例では、スケジュールすることはサブフレームごとに実行され得る。ブロック１３５０における（１つまたは複数の）動作は、図６、図７、または図１０を参照しながら説明したワイヤレス通信管理モジュール６２０または１０６０、あるいは図６または図７を参照しながら説明したダウンリンクスケジューリングモジュール６４５を使用して実行され得る。
【０１３１】
[0145]方法１３００のいくつかの例では、後続のダウンリンク送信は、後続のダウンリンク送信についての干渉パラメータに関連するフィードバックカテゴリーに関連する、ＨＡＲＱフィードバックアウターループとＣＳＩフィードバックアウターループの一方または両方に少なくとも部分的に基づいてスケジュールされ得る。
【０１３２】
[0146]いくつかの例では、方法１３００は、第１のダウンリンク送信について受信されたフィードバックを第１のフィードバックカテゴリーに分類すると、第２のフィードバックカテゴリーに関連するＨＡＲＱフィードバックアウターループ、または第２のフィードバックカテゴリーに関連するＣＳＩフィードバックアウターループのうちの少なくとも１つの少なくとも１つの更新をスキップすることを含み得る。方法１３００はまた、第１のダウンリンク送信について受信されたフィードバックを第２のフィードバックカテゴリーに分類すると、第１のフィードバックカテゴリーに関連するＨＡＲＱフィードバックアウターループ、または第１のフィードバックカテゴリーに関連するＣＳＩフィードバックアウターループのうちの少なくとも１つの少なくとも１つの更新をスキップすることを含み得る。
【０１３３】
[0147]したがって、方法１３００はワイヤレス通信を提供し得る。方法１３００は一実装形態にすぎないこと、および方法１３００の動作は、他の実装形態が可能であるように、並べ替えられるかまたは場合によっては変更され得ることに留意されたい。
【０１３４】
[0148]図１４は、本開示の様々な態様による、ワイヤレス通信のための方法１４００の一例を示すフローチャートである。明快のために、方法１４００について、図１、図２、図５、または図１１を参照しながら説明したＵＥ１１５、２１５、２１５−ａ、２１５−ｂ、２１５−ｃ、５１５、または１１１５のうちの１つまたは複数の態様、あるいは図８または図９を参照しながら説明した装置８１５または９１５の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１３５】
[0149]ブロック１４０５において、方法１４００は、共有無線周波数スペクトル帯域上で受信された第１のダウンリンク送信についての干渉パラメータを識別することを含み得る。いくつかの例では、第１のダウンリンク送信についての干渉パラメータは、再利用１モードでの送信、またはＴＤＭモードでの送信のうちの１つを含み得る。共有無線周波数スペクトル帯域は、送信装置がそれについてアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１４０５における（１つまたは複数の）動作は、図８、図９、または図１１を参照しながら説明したワイヤレス通信管理モジュール８２０または１１６０、あるいは図８または図９を参照しながら説明した干渉パラメータ識別モジュール８３５を使用して実行され得る。
【０１３６】
[0150]ブロック１４１０において、方法１４００は、第１のダウンリンク送信についてのフィードバックを生成することを含み得る。いくつかの例では、第１のダウンリンク送信について生成されたフィードバックは、ＣＳＩ、ＡＣＫ／ＮＡＣＫフィードバック、またはそれらの組合せを含み得る。ブロック１４１０における（１つまたは複数の）動作は、図８、図９、または図１１を参照しながら説明したワイヤレス通信管理モジュール８２０または１１６０、あるいは図８または図９を参照しながら説明したフィードバック生成モジュール８４０を使用して実行され得る。
【０１３７】
[0151]ブロック１４１５において、方法１４００は、基地局に、干渉パラメータの指示と一緒にフィードバックを送ることを含み得る。ブロック１４１５における（１つまたは複数の）動作は、図８、図９、または図１１を参照しながら説明したワイヤレス通信管理モジュール８２０または１１６０、あるいは図８または図９を参照しながら説明したフィードバック報告モジュール８４５を使用して実行され得る。
【０１３８】
[0152]したがって、方法１４００はワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０１３９】
[0153]図１５は、本開示の様々な態様による、ワイヤレス通信のための方法１５００の一例を示すフローチャートである。明快のために、方法１５００について、図１、図２、図５、または図１１を参照しながら説明したＵＥ１１５、２１５、２１５−ａ、２１５−ｂ、２１５−ｃ、５１５、または１１１５のうちの１つまたは複数の態様、あるいは図８または図９を参照しながら説明した装置８１５または９１５の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１４０】
[0154]ブロック１５０５において、方法１５００は、共有無線周波数スペクトル帯域上で第１のダウンリンク送信を受信することを含み得る。共有無線周波数スペクトル帯域は、送信装置がそれについてアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１５０５における（１つまたは複数の）動作は、図８、図９、または図１１を参照しながら説明したワイヤレス通信管理モジュール８２０または１１６０、図８または図９を参照しながら説明した受信機モジュール８１０または９１０、あるいは図１１を参照しながら説明した（１つまたは複数の）ＵＥトランシーバモジュール１１３０を使用して実行され得る。
【０１４１】
[0155]ブロック１５１０および１５１５、または代替的にブロック１５２０および１５２５において、方法１５００は、第１のダウンリンク送信についての干渉パラメータを識別することを含み得る。いくつかの例では、第１のダウンリンク送信についての干渉パラメータは、再利用１モードでの送信、またはＴＤＭモードでの送信のうちの１つを含み得る。ブロック１５１０において、方法１５００は、少なくとも１つのネイバリング基地局から送信ステータスを受信することを含み得、ブロック１５１５において、方法１５００は、送信ステータスに少なくとも部分的に基づいて、第１のダウンリンク送信についての干渉パラメータを識別することを含み得る。送信ステータスは、第１のダウンリンク送信が受信される時間に存在する送信ステータスであり得る。ある例では、方法１５００を実行するＵＥまたは装置、および少なくとも１つのネイバリング基地局は、同じＰＬＭＮに属し得る。ブロック１５２０において、方法１５００は、第１のダウンリンク送信に関連するＳＮＲを測定することを含み得、ブロック１５２５において、方法１５００は、測定されたＳＮＲに少なくとも部分的に基づいて、第１のダウンリンク送信についての干渉パラメータを推定することを含み得る。ブロック１５１０、１５１５、１５２０、または１５２５における（１つまたは複数の）動作は、図８、図９、または図１１を参照しながら説明したワイヤレス通信管理モジュール８２０または１１６０、図８または図９を参照しながら説明した干渉パラメータ識別モジュール８３５、あるいは図９を参照しながら説明した基地局送信ステータス処理モジュール９５０またはＳＮＲ測定モジュール９５５を使用して実行され得る。
【０１４２】
[0156]ブロック１５３０において、方法１５００は、第１のダウンリンク送信についてのフィードバックを生成することを含み得る。いくつかの例では、第１のダウンリンク送信について生成されたフィードバックは、ＣＳＩ、ＡＣＫ／ＮＡＣＫフィードバック、またはそれらの組合せを含み得る。ブロック１５３０における（１つまたは複数の）動作は、図８、図９、または図１１を参照しながら説明したワイヤレス通信管理モジュール８２０または１１６０、あるいは図８または図９を参照しながら説明したフィードバック生成モジュール８４０を使用して実行され得る。
【０１４３】
[0157]ブロック１５３５において、方法１５００は、基地局に、干渉パラメータの指示と一緒にフィードバックを送ることを含み得る。いくつかの例では、少なくとも１つのネイバリング基地局からの送信ステータスも、フィードバックとともに基地局に送られ得る。ブロック１５３５における（１つまたは複数の）動作は、図８、図９、または図１１を参照しながら説明したワイヤレス通信管理モジュール８２０または１１６０、あるいは図８または図９を参照しながら説明したフィードバック報告モジュール８４５を使用して実行され得る。
【０１４４】
[0158]したがって、方法１５００はワイヤレス通信を提供し得る。方法１５００は一実装形態にすぎないこと、および方法１５００の動作は、他の実装形態が可能であるように、並べ替えられるかまたは場合によっては変更され得ることに留意されたい。
【０１４５】
[0159]本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、共有無線周波数スペクトル上でのセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１４６】
[0160]添付の図面に関して上記に記載された詳細な説明は、例について説明しており、実装され得るまたは特許請求の範囲内に入る例のすべてを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１４７】
[0161]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４８】
[0162]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１４９】
[0163]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１５０】
[0164]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を含み得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１５１】
[0165]本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］  基地局におけるワイヤレス通信のための方法であって、
共有無線周波数スペクトル帯域上で第１のダウンリンク送信について受信されたフィードバックを分類することと、ここで、前記フィードバックが複数のフィードバックカテゴリーのうちの１つに分類され、前記分類することが、前記第１のダウンリンク送信についての干渉パラメータに少なくとも部分的に基づく、
後続のダウンリンク送信についての干渉パラメータを識別することと、
前記後続のダウンリンク送信についての前記識別された干渉パラメータに関連するフィードバックカテゴリーに分類されたフィードバックに少なくとも部分的に基づいて、前記後続のダウンリンク送信をスケジュールすることと
を備える、方法。
［Ｃ２］  前記第１のダウンリンク送信についての前記干渉パラメータが、再利用１モードでの送信、または時間領域多重化（ＴＤＭ）モードでの送信のうちの１つを備える、Ｃ１に記載の方法。
［Ｃ３］  前記第１のダウンリンク送信について受信されたフィードバックを分類することが、  前記再利用１モードでの前記第１のダウンリンク送信の送信を備える前記第１のダウンリンク送信についての前記干渉パラメータに少なくとも部分的に基づいて、前記第１のダウンリンク送信について受信されたフィードバックを第１のフィードバックカテゴリーに分類すること
を備える、Ｃ２に記載の方法。
［Ｃ４］  前記ＴＤＭモードでの第２のダウンリンク送信の送信を備える前記第２のダウンリンク送信についての干渉パラメータに少なくとも部分的に基づいて、前記第２のダウンリンク送信についてのフィードバックを第２のフィードバックカテゴリーに分類すること
をさらに備える、Ｃ３に記載の方法。
［Ｃ５］  前記フィードバックが、チャネル状態情報（ＣＳＩ）、または肯定応答／否定応答（ＡＣＫ／ＮＡＣＫ）フィードバック、あるいはそれらの組合せを備える、Ｃ１に記載の方法。
［Ｃ６］  前記後続のダウンリンク送信をスケジュールすることが、
前記後続のダウンリンク送信のための変調およびコーディング方式（ＭＣＳ）を選択すること
を備える、Ｃ１に記載の方法。
［Ｃ７］  前記第１のダウンリンク送信についての前記干渉パラメータを識別すること
をさらに備える、Ｃ１に記載の方法。
［Ｃ８］  前記第１のダウンリンク送信についての前記干渉パラメータを識別することが、
前記第１のダウンリンク送信についての前記フィードバックとともに前記干渉パラメータの指示を受信すること
を備える、Ｃ７に記載の方法。
［Ｃ９］  前記後続のダウンリンク送信についての前記干渉パラメータを識別することが、
少なくとも１つの他の基地局から送信ステータスを受信することと、
前記送信ステータスに少なくとも部分的に基づいて、前記後続のダウンリンク送信についての前記干渉パラメータを識別することと
を備える、Ｃ１に記載の方法。
［Ｃ１０］  前記基地局および前記少なくとも１つの他の基地局が、同じパブリックランドモバイルネットワーク（ＰＬＭＮ）に属する、Ｃ９に記載の方法。
［Ｃ１１］  前記送信ステータスを受信することが、
チャネル使用ビーコン信号（ＣＵＢＳ）、または物理フレームフォーマットインジケータチャネル（ＰＦＦＩＣＨ）、あるいはそれらの組合せを受信すること
を備える、Ｃ９に記載の方法。
［Ｃ１２］  前記複数のフィードバックカテゴリーのうちの各フィードバックカテゴリーについて、別個のハイブリッド自動再送要求（ＨＡＲＱ）フィードバックアウターループまたは別個のチャネル状態情報（ＣＳＩ）フィードバックアウターループのうちの少なくとも１つを維持すること
をさらに備え、
ここにおいて、前記後続のダウンリンク送信が、前記後続のダウンリンク送信についての前記干渉パラメータに関連する前記フィードバックカテゴリーに関連する、ＨＡＲＱフィードバックアウターループとＣＳＩフィードバックアウターループの一方または両方に少なくとも部分的に基づいてスケジュールされる、
Ｃ１に記載の方法。
［Ｃ１３］  前記第１のダウンリンク送信について受信された前記フィードバックを第１のフィードバックカテゴリーに分類すると、第２のフィードバックカテゴリーに関連するハイブリッド自動再送要求（ＨＡＲＱ）フィードバックアウターループ、または前記第２のカテゴリーに関連するチャネル状態情報（ＣＳＩ）フィードバックアウターループのうちの少なくとも１つの少なくとも１つの更新をスキップすること
をさらに備える、Ｃ１に記載の方法。
［Ｃ１４］  基地局におけるワイヤレス通信のための装置であって、
共有無線周波数スペクトル帯域上で第１のダウンリンク送信について受信されたフィードバックを分類するための手段と、ここで、前記フィードバックが複数のフィードバックカテゴリーのうちの１つに分類され、前記分類することが、前記第１のダウンリンク送信についての干渉パラメータに少なくとも部分的に基づく、
後続のダウンリンク送信についての干渉パラメータを識別するための手段と、
前記後続のダウンリンク送信についての前記識別された干渉パラメータに関連するフィードバックカテゴリーに分類されたフィードバックに少なくとも部分的に基づいて、前記後続のダウンリンク送信をスケジュールするための手段と
を備える、装置。
［Ｃ１５］  前記第１のダウンリンク送信についての前記干渉パラメータが、再利用１モードでの送信、または時間領域多重化（ＴＤＭ）モードでの送信のうちの１つを備える、Ｃ１４に記載の装置。
［Ｃ１６］  前記フィードバックが、チャネル状態情報（ＣＳＩ）、または肯定応答／否定応答（ＡＣＫ／ＮＡＣＫ）フィードバック、あるいはそれらの組合せを備える、Ｃ１４に記載の装置。
［Ｃ１７］  前記後続のダウンリンク送信のための変調およびコーディング方式（ＭＣＳ）を選択するための手段
をさらに備える、Ｃ１４に記載の装置。
［Ｃ１８］  前記第１のダウンリンク送信についての前記干渉パラメータを識別するための手段
をさらに備える、Ｃ１４に記載の装置。
［Ｃ１９］  前記第１のダウンリンク送信についての前記フィードバックとともに前記干渉パラメータの指示を受信するための手段
をさらに備える、Ｃ１８に記載の装置。
［Ｃ２０］  少なくとも１つの他の基地局から送信ステータスを受信するための手段と、
前記送信ステータスに少なくとも部分的に基づいて、前記後続のダウンリンク送信についての前記干渉パラメータを識別するための手段と
をさらに備える、Ｃ１４に記載の装置。
［Ｃ２１］  前記複数のフィードバックカテゴリーのうちの各フィードバックカテゴリーについて、別個のハイブリッド自動再送要求（ＨＡＲＱ）フィードバックアウターループまたは別個のチャネル状態情報（ＣＳＩ）フィードバックアウターループのうちの少なくとも１つを維持するための手段
をさらに備え、
ここにおいて、前記後続のダウンリンク送信が、前記後続のダウンリンク送信についての前記干渉パラメータに関連する前記フィードバックカテゴリーに関連する、ＨＡＲＱフィードバックアウターループとＣＳＩフィードバックアウターループの一方または両方に少なくとも部分的に基づいてスケジュールされる、
Ｃ１４に記載の装置。
［Ｃ２２］  前記第１のダウンリンク送信について受信された前記フィードバックを第１のフィードバックカテゴリーに分類すると、第２のフィードバックカテゴリーに関連するハイブリッド自動再送要求（ＨＡＲＱ）フィードバックアウターループ、または前記第２のカテゴリーに関連するチャネル状態情報（ＣＳＩ）フィードバックアウターループのうちの少なくとも１つの少なくとも１つの更新をスキップするための手段
をさらに備える、Ｃ１４に記載の装置。
［Ｃ２３］  ユーザ機器（ＵＥ）におけるワイヤレス通信のための方法であって、
共有無線周波数スペクトル帯域上で受信された第１のダウンリンク送信についての干渉パラメータを識別することと、
前記第１のダウンリンク送信についてのフィードバックを生成することと、
基地局に、前記干渉パラメータの指示と一緒に前記フィードバックを送ることと
を備える、方法。
［Ｃ２４］  前記干渉パラメータを識別することが、
少なくとも１つのネイバリング基地局から送信ステータスを受信することと、
前記送信ステータスに少なくとも部分的に基づいて、前記第１のダウンリンク送信についての前記干渉パラメータを識別することと
を備える、Ｃ２３に記載の方法。
［Ｃ２５］  前記フィードバックとともに前記基地局に、前記少なくとも１つのネイバリング基地局からの前記送信ステータスを送ること
をさらに備える、Ｃ２４に記載の方法。
［Ｃ２６］  前記干渉パラメータを識別することが、
前記第１のダウンリンク送信に関連する信号対雑音比（ＳＮＲ）を測定することと、  前記測定されたＳＮＲに少なくとも部分的に基づいて、前記第１のダウンリンク送信についての前記干渉パラメータを推定することと
を備える、Ｃ２３に記載の方法。
［Ｃ２７］  ユーザ機器（ＵＥ）におけるワイヤレス通信のための装置であって、
共有無線周波数スペクトル帯域上で受信された第１のダウンリンク送信についての干渉パラメータを識別するための手段と、
前記第１のダウンリンク送信についてのフィードバックを生成するための手段と、
基地局に、前記干渉パラメータの指示と一緒に前記フィードバックを送るための手段とを備える、装置。
［Ｃ２８］  少なくとも１つのネイバリング基地局から送信ステータスを受信するための手段と、  前記送信ステータスに少なくとも部分的に基づいて、前記第１のダウンリンク送信についての前記干渉パラメータを識別するための手段と
をさらに備える、Ｃ２７に記載の装置。
［Ｃ２９］  前記フィードバックとともに前記基地局に、前記少なくとも１つのネイバリング基地局からの前記送信ステータスを送るための手段
をさらに備える、Ｃ２７に記載の装置。
［Ｃ３０］  前記第１のダウンリンク送信に関連する信号対雑音比（ＳＮＲ）を測定するための手段と、
前記測定されたＳＮＲに少なくとも部分的に基づいて、前記第１のダウンリンク送信についての前記干渉パラメータを推定するための手段と
をさらに備える、Ｃ２７に記載の装置。
【図１】
0006800893.tif 000002
【図２】
0006800893.tif 000003
【図３】
0006800893.tif 000004
【図４】
0006800893.tif 000005
【図５】
0006800893.tif 000006
【図６】
0006800893.tif 000007
【図７】
0006800893.tif 000008
【図８】
0006800893.tif 000009
【図９】
0006800893.tif 000010
【図１０】
0006800893.tif 000011
【図１１】
0006800893.tif 000012
【図１２】
0006800893.tif 000013
【図１３】
0006800893.tif 000014
【図１４】
0006800893.tif 000015
【図１５】
0006800893.tif 000016